(57)【特許請求の範囲】
【請求項１】
複数の図柄表示部を有する図柄表示装置を備え、遊技機の図柄始動口への入賞により、前記図柄表示装置の各図柄表示部において図柄変動表示を行い、停止表示された各図柄が予め定められた当たり図柄となることを条件に大当たりとなる特定遊技価値を付与するパチンコ機において、
前記図柄変動表示処理とは別のタイミングで実行される別処理で図柄生成記憶処理を実行し、前記図柄生成記憶処理は、前記図柄変動表示停止時に前記図柄表示手段に表示する図柄に関する内部処理指標の組合せを作成する第１ステップと、
前記第１ステップで作成された図柄に関する内部処理指標の組合せが当たり図柄に該当するものであるか外れ図柄に該当するものであるかを判別する第２ステップと、
前記第２ステップによる判別結果が外れ図柄に該当するものである場合、該外れ図柄に該当する内部処理指標の組合せを外れ図柄データ記憶手段に記憶する第３ステップとによって構成された処理であり、
前記図柄始動口への入球検出に応じて前記大当たりになるか否かを判定する判定手段と、
前記判定手段による判定結果が外れであった場合、前記図柄表示手段の変動表示停止時に表示する確定停止図柄の表示指標として前記外れ図柄データ記憶手段に記憶されている外れ図柄に該当する表示指標の組合せを設定する図柄表示制御手段とを備え、
前記図柄表示制御手段は、前記図柄表示部において先に停止表示される図柄が前記当たり図柄の組合せの一部と一致するリーチが成立した場合に、
後で停止表示される図柄であって、変動表示を継続している残る１つの図柄表示部で変動表示されている図柄の変動速度を低速変動と高速変動との間で順番に切り換えて制御するとともに、前記低速変動及び高速変動の繰り返し回数がランダムになるように制御する繰り返し制御を実行し、
前記繰り返し制御中は前記低速変動と前記高速変動とがそれぞれ予め定められた一定時間経過毎に切り換えられるとともに、最後の低速変動時間は可変時間になっており、
前記図柄表示制御手段によって決定された確定停止図柄表示指標の種類に応じて、前記最後の低速変動時間の長さが設定されて表示制御が行われ、
前記低速変動中には、前記先に停止表示される図柄との組合せで前記当たり図柄になる図柄が遊技者に視認可能に変動表示され、
前記判定手段の判定結果がはずれであった場合には、前記図柄表示制御手段によって設定された内部処理指標の組合せに対応する外れ図柄が表示される
ことを特徴とするパチンコ機。
【発明の詳細な説明】
【０００１】
【発明の属する技術分野】
本発明は、パチンコ機の改良に関する。
【０００２】
【従来の技術】
特開平３−２５４７７４号公報には、左、中、右の複数の図柄表示部からなるドットマトリクス・パネル１３を備えた図柄表示装置を有し、各図柄表示部において図柄変動表示を行い、変動表示結果が予め定めた特定図柄の組合せになることに基いて特定遊技価値を付与するものであって、変動表示中にリーチが成立した場合、変動中の図柄が、特定図柄に近づいてきた時に変動速度を緩め、特定図柄を通過したときに変動速度を速めるように表示制御するようにした弾球遊技機が記載されている。
【０００３】
また、特開平５−９６０４９号公報には、可変表示装置に設けられる複数の可変表示器を順次停止して予め定めた大当り図柄の組み合わせが表示された時に、特定遊技状態を生起せしめるものであって、左右の可変表示器に大当り図柄が表示されたリーチ状態となった時に、未だ変動表示している中央の可変表示器に、大当り図柄が通過する際の変動速度を他の図柄が通過する速度よりも遅くなるように表示制御するようにした弾球遊技機が記載されている。
【０００４】
上記従来のパチンコ機の図柄表示装置は、リーチが成立した場合に、未だ変動表示している図柄表示部は、大当り図柄に近づいて通過する際の変動速度が遅くなり、一旦大当り図柄を通過して大当り図柄から遠ざかる際に変動速度が速くなるように表示制御するので、大当り図柄を含む前後の図柄の変動表示をゆっくりと遊技者に視認させ、遊技者の期待感を盛り上げるようにし、大当り図柄に関係しない図柄の変動表示を視認できないほど速く通過させ、イライラ感を軽減させるようにしている。
【０００５】
【発明が解決しようとする課題】
本発明の目的は、既に停止した図柄表示部の各図柄が特定遊技価値を付与するようなリーチ成立となった場合に、変動表示を継続する図柄表示部における変動表示を、低速と高速との順に繰り返し表示を行うことで、遊技者に対して期待感を継続させ、低速と高速との繰り返し表示の後に、改めて期待感を与えるようにすることができ、かつ停止表示される図柄が予想しづらくすることのできるパチンコ機の図柄表示装置を提供することにある。
【０００６】
【課題を解決するための手段】
本発明のパチンコ機は、複数の図柄表示部を有する図柄表示装置を備え、遊技機の図柄始動口への入賞により、前記図柄表示装置の各図柄表示部において図柄変動表示を行い、停止表示された各図柄が予め定められた当たり図柄となることを条件に大当たりとなる特定遊技価値を付与するパチンコ機において、前記図柄変動表示処理とは別のタイミングで実行される別処理で図柄生成記憶処理を実行し、前記図柄生成記憶処理は、前記図柄変動表示停止時に前記図柄表示手段に表示する図柄に関する内部処理指標の組合せを作成する第１ステップと、前記第１ステップで作成された図柄に関する内部処理指標の組合せが当たり図柄に該当するものであるか外れ図柄に該当するものであるかを判別する第２ステップと、前記第２ステップによる判別結果が外れ図柄に該当するものである場合、該外れ図柄に該当する内部処理指標の組合せを外れ図柄データ記憶手段に記憶する第３ステップとによって構成された処理であり、前記図柄始動口への入球検出に応じて前記大当たりになるか否かを判定する判定手段と、前記判定手段による判定結果が外れであった場合、前記図柄表示手段の変動表示停止時に表示する確定停止図柄の表示指標として前記外れ図柄データ記憶手段に記憶されている外れ図柄に該当する表示指標の組合せを設定する図柄表示制御手段とを備え、前記図柄表示制御手段は、前記図柄表示部において先に停止表示される図柄が前記当たり図柄の組合せの一部と一致するリーチが成立した場合に、後で停止表示される図柄であって、変動表示を継続している残る１つの図柄表示部で変動表示されている図柄の変動速度を低速変動と高速変動との間で順番に切り換えて制御するとともに、前記低速変動及び高速変動の繰り返し回数がランダムになるように制御する繰り返し制御を実行し、前記繰り返し制御中は前記低速変動と前記高速変動とがそれぞれ予め定められた一定時間経過毎に切り換えられるとともに、最後の低速変動時間は可変時間になっており、前記図柄表示制御手段によって決定された確定停止図柄表示指標の種類に応じて、前記最後の低速変動時間の長さが設定されて表示制御が行われ、前記低速変動中には、前記先に停止表示される図柄との組合せで前記当たり図柄になる図柄が遊技者に視認可能に変動表示され、前記判定手段の判定結果がはずれであった場合には、前記図柄表示制御手段によって設定された内部処理指標の組合せに対応する外れ図柄が表示されることを特徴とする。
【０００７】
【発明の実施の形態】
以下、本発明の実施の形態を図面を参照して説明する。
【０００８】
図２は、本発明のパチンコ機の図柄表示装置を装着した一実施形態のパチンコ機の遊技盤１面を示した正面図である。遊技盤１の前面には、遊技球の飛出しを防止する前面ガラスが設けられているが、図示は省略されている。以後、遊技盤１面から前面ガラスヘ向く方向を前方といい、遊技盤１から前面ガラスヘ向く方向と逆方向を奥方ということにして説明する。
【０００９】
図２において、遊技盤１面の略中央には、図柄表示部３と、図柄表示部３の停止表示される図柄の組合わせによって作動する普通電動役物としての球振り分け片２１からなる役物入賞口７とを含む図柄表示装置２が配備され、図柄表示装置２の下方の遊技盤１の中央には、図柄表示部３の図柄変動を開始刺激となる図柄始動口９が配置され、図柄始動口９の奥方には図柄始動口９に入賞した遊技球を検出する図柄始動口入賞検出スイッチＳＷ１が配設されている。
【００１０】
また、遊技盤１の下方には、進入した遊技球を通過口１２または特別通過口１３に振り分ける振分け装置１０が配設されている。また、特別通過口１３の奥方には、遊技球の特別通過口１３の通過を検出する特定領域通過検出スイッチＳＷ４が配備されている。
【００１１】
さらに、遊技盤１の左上方には、左回転体１６が配置され、左回転体１６の下方には従来公知の遊技球の重さによって開閉するチューリップ式役物からなる特定入賞口１５が配置され、遊技盤１の右上方には、右回転体１７が配置され、右回転体１７の下方に近接して球落入口２２が配置され、球落入口２２の奥方には球落入口２２に入賞した遊技球を検出する第３種始動口入賞検出スイッチＳＷ２が配設されている。なお、球落入口２２に落入する遊技球の検出は、振分け装置１０内の特別通過口１３に遊技球が通過することを条件として遊技球の検出が開始され、再度の遊技球の特別通過口１３への通過もしくは球落入口２２に落入する遊技球の総数が１６個に達することを条件として遊技球の検出を終了する。球落入口２２の下方には、ソレノイドにより開閉駆動される電動チューリップからなる大入賞口８が配置されている。また、大入賞口８の奥方には大入賞口８に入賞した遊技球を検出する大入賞口入賞検出スイッチＳＷ３が配設されている。
【００１２】
図柄表示装置２は、上部に遊技盤１面より前方に向けて配備されたアーチ形状の球振り分け片２１を備え、球振り分け片２１は、遊技盤１裏面に配設されたソレノイドにより遊技盤１面より奥方に後退されることによって、役物入賞口７を開口する。球振り分け片２１の両側は、図柄表示装置２の側方壁５８，５９が連接して形成され、球振り分け片２１が遊技盤１面より奥方に後退する時以外には、役物入賞口７への遊技球の進入を阻止している。
【００１３】
図柄表示装置２の中央には、図柄表示部３が配備され、該図柄表示部３は、左図柄表示部４、中図柄表示部５及び右図柄表示部６の３つに区分される。図柄表示部３の両側方には、図柄表示部３の図柄変動中または普通電動役物としての球振り分け片２１の作動中に新たに図柄始動口９に入賞した場合の入賞記憶を点灯個数表示する記憶数表示ＬＥＤ１９が左右に２個ずつ計４個配置されている。
【００１４】
図３は、定位置における左回転体１６の正面図であり、左回転体１６は、側部に半円形状の切欠よりなる球受部６０を有するやや厚みを有した円板であって、遊技盤１面に垂直方向の軸を中心に間歇的に左回転、即ち、図３に示す矢印の向きに回転する。また、左回転体１６の側面に沿う斜め両下側方には円弧壁６１，６２が立設されており、両円弧壁６１，６２の間には、遊技球が通過する程度の間隙６３が形成される。なお、図示されていないが、左回転体１６の回転軸には円板状カムが該円板状カムの同心に取り付けられ、さらに該円板状カムの一側には、中心に向かって棒状切欠が設けられ、ホトインタラプタよりなる左回転体定位置検出スイッチＳＷ５が該円板状カムに密接して設けられ、左回転体定位置検出スイッチＳＷ５によって左回転体１６の定位置を検出するようになっている。
【００１５】
遊技球が上方より球受部６０に落入した場合には、遊技球は、球受部６０の公転につれ円弧壁６１と球受部６０に保持されつつ移動され、間隙６３より下方へ落下する。図２に示されるように左回転体１６の下方には、特定入賞口１５が配置されているが、特定入賞口１５の上部に３本の釘６４が植設されているため、左回転体１６の球受部６０に落入した遊技球は特定入賞口１５へは入賞せずに遊技盤１の下方に落下する。
【００１６】
特定入賞口１５には、遊技盤１の裏面に、図示されていない２つの球誘導路が形成されており、一方の球誘導路は図柄表示装置２に設けられた役物入賞口７より該特定入賞口１５の奥方に形成されており、役物入賞口９に入賞した遊技球は、球誘導路を通って特定入賞口１５の奥方に至ることにより、特定入賞口１５が開口される。他方の球誘導路は、特定入賞口１５の奥方の下側より遊技盤１下方に設けられた振分け装置１０内に至って形成され、特定入賞口１５の開口時に、特定入賞口１５に入賞した遊技球は該誘導路を通って振分け装置１０内に誘導される。なお、特定入賞口１５は、従来と同様に、入賞した遊技球が１個である場合には閉鎖され、遊技球が２個同時に入賞する場合には開放された状態のままとなる。
【００１７】
右回転体１７は、図４に示すように、側部に半円形状の切欠よりなる球受部６５を有するやや厚みを有した円板であって、遊技盤１面に垂直方向の軸を中心に左回転、即ち、図４に示す矢印の向きに連続的に回転する。また、右回転体１７の側面に沿う両側方には略半円状の円弧壁６６，６７が立設されており、両円弧壁６６，６７の間には、遊技球が通過する程度の間隙６８，６９が上下に形成される。遊技球が上方の間隙６８より球受部６５に落入した場合、遊技球は、球受部６５の公転につれ円弧壁６６と球受部６５に保持されつつ移動され、下方の間隙６９より落下して球落入口２２に落入する。球落入口２２に落入した遊技球は球落入口２２の奥方の第３種始動口入賞検出スイッチＳＷ２によって検出される。なお、右回転体１７と球落入口２２とは近接して配置されているため、右回転体１７の球受部６５に遊技球が落入する以外には球落入口２２に遊技球は落入しないようになっている。
【００１８】
即ち、右回転体１７の半円形状の切欠よりなる球受部６５が、実施形態のパチンコ機における第３種始動口１４であって、前述したように振分け装置１０内の特別通過口１３に遊技球が通過することを条件として遊技球の検出が開始され、再度の遊技球の特別通過口１３への通過もしくは球落入口２２に落入する遊技球の総数が１６個に達することを条件として遊技球の検出を終了する。
【００１９】
図５は、定位置における振分け装置１０を示す正面図である。振分け装置１０は、遊技盤１面より前方に向かって突出して配備される略円形状の前面パネル２３が、遊技盤１面に装着されるフランジ部２４を有する振分け装置本体２５に取り付けられ、振分け装置本体２５上部には、特定入賞口１５よりの球誘導路に連続される球進入路７４が設けられ、球進入路７４は奥方より前方に向けて傾斜が掛けられている。球進入路７４の下側には、略円板状で遊技球の径よりやや大きい程度の厚みを有し、周方向側部の３方にほぼ等間隔で半円形状の切欠からなる球受部２７，２８，２９が設けられた振分け回転体２６が図示されていない振分け装置駆動用モータの回転軸に取り付けられている。また、振分け回転体２６の回転軸は、遊技盤１面に対して垂直となっており、振分け回転体２６は、振分け装置駆動用モータにより間歇的に右回転される。
【００２０】
振分け回転体２６の前面と前面パネル２３の間には、遊技球の径より大なる間隔が設けられ、前面パネル２３の振分け回転体２６に面する内側には、振分け回転体２６の回転中心に向かって、正面が上に凸に屈曲した振分け片７０が設けられている。前述した球進入路７４の前端は、振分け回転体２６の前面上部に達してしている。また、振分け回転体２６の裏側には、振分け回転体２６の裏面に沿って振分け装置本体２５の内壁７１が設けられ、内壁７１の上部には、特別通過口１３が穿設され、特別通過口１３のやや左方下側の内壁には、通過口１２が穿設されている。
【００２１】
振分け回転体２６の３つの球受部２７，２８，２９は、それぞれ奥方に向けて僅かに傾斜がかけられ、球受部２７，２８，２９のうちの１つの球受部２７は、他の２つの球受部２８，２９に比べて曲率半径が大きく、また、半円状の円弧が回転中心よりやや右方に向けて形成されている。このため、振分け回転体２６を正面より眺めた場合に球受部２７が回転中心より左方にある時には、球受部２７に捕捉された遊技球は回転中心方向に向かって寄る。
【００２２】
振分け回転体２６が右回転すると、振分け回転体２６の球受部２７，２８，２９が公転するが、図５に示すように内壁７１の上部の特別通過口１３は球受部２７の公転位置に対応しており、また、図８に示すように通過口１２は、球受部２８，２９の公転位置に対応しているが、特別通過口１３は、通過口１２に比べて振分け回転体２６の回転中心方向に寄った位置に配設され、また、通過口１２の配設位置は球受部２７の公転位置に対して外方にずれている。
【００２３】
また、図６は、定位置における振分け回転体２６の裏面図であり、振分け回転体１６は、遊技盤１面に垂直方向の軸を中心に間歇的に右回転、図６は裏面図なので、矢印で示される左向きに回転する。振分け回転体２６の回転軸７３には円板状のカム７２がカム７２の同心に取り付けられ、さらにカム７２の一側には、中心に向かって棒状切欠７４が設けられ、ホトインタラプタよりなる振分け装置定位置検出スイッチＳＷ６がカム７２に密接して設けられ、振分け装置定位置検出スイッチＳＷ６によって振分け回転体２６の定位置を検出するようになっている。
【００２４】
特定入賞口１５に入賞した遊技球は、遊技盤１の裏側に設けられた誘導路を通って振分け装置１０内に誘導されて球進入路２６を前方に向けて移動し、球進入路２６の前端に至って前方に向かって落下し、前面パネル２３に設けられた振分け片７０に衝突し、バウンドして左右に振り分けられた後、振分け回転体２６の前面と前面パネル２３の間の間隙に至り、即ち、右回転する振分け回転体２６の前面下方に至り、右回転している振分け回転体２６の球受部２７，２８，２９のうちのいずれかに落入する。
【００２５】
まず、遊技球が球受部２７に落入した場合について説明すると、振分け回転体２６の回転に伴って球受部２７が公転し、球受部２７に拘束された遊技球は、上方へ向かって周回し、図７に示されるように、上方に向かって周回し、球受部２７が内壁７１の上部の通過口１２が穿設されている位置まで公転されるが、この時、通過口１２の配設位置は球受部２７の公転位置に対して外方にずれており、球受部２７に捕捉された遊技球は回転中心方向に向かって寄るので、従って、図５に示されるように、球受部２７に拘束されていた遊技球は通過口１２に落入しない。次いで、球受部２７の公転位置に対応した内壁７１の上部の特別通過口１３に一致すると、球受部２７が奥方に向けて僅かに傾斜がかけられているために、球受部２７に拘束されていた遊技球は特別通過口１３に落入し、特定領域通過検出スイッチＳＷ４によって遊技球の特別通過口１３の通過が検出される。
【００２６】
次に、遊技球が球受部２８または球受部２９のうちのいずれかにに落入した場合について説明するが、球受部２８と球受部２９は同形状なので、球受部２８に遊技球が落入した場合についてだけ説明することにする。
【００２７】
振分け回転体２６の回転に伴って球受部２８が公転し、球受部２８に拘束された遊技球は、上方へ向かって周回し、図８に示されるように、球受部２８が公転して球受部２８の公転位置に対応した内壁７１の通過口１２に一致すると、球受部２８が奥方に向けて僅かに傾斜がかけられているために、球受部２８に拘束されていた遊技球は通過口１２に落入する。なお、通過口１２は、普通入賞口であり、右回転体１７における第３種始動口１４としての機能の開始刺激となるものでも、また、終了刺激となるものでもない。
【００２８】
以上、遊技盤１面に配設された各要素について説明したが、図柄表示装置２には図柄表示部３の下方に、球落入口２２への遊技球の検出条件成立時に球落入口２２へ落入した遊技球の個数を表示する第３種始動口入賞数表示ＬＥＤ１８と、大入賞口８への遊技球の入賞個数を表示する大入賞口入賞数表示ＬＥＤ２０の各々が配置されている。
【００２９】
図２において、天入賞口４１，左下入賞口４２、右下入賞口４３、ランプ付風車４４、風車４５、アウト球受口４６、球誘導レール４７、返しゴム４８の各要素については周知であるから説明を省略する。また、各符号５０は表示灯Ａ，５１は表示灯Ｂ，５２は表示灯Ｃ，５３は表示灯Ｄ，５４は表示灯Ｅ，５５は左装飾ＬＥＤ，５６は右装飾ＬＥＤ，５７は中装飾ＬＥＤである。
【００３０】
次に、実施形態のパチンコ機における遊技動作の概略を述べる。電源投入後、左回転体１６は左回転の間歇動作を、振分け装置１０は右回転の間歇動作を、右回転体１７は左回転動作を開始する。遊技球が図柄始動口９に入賞すると、図柄表示部３が図柄変動を開始し、左図柄表示部４、右図柄表示部６、中図柄表示部５の順で図柄を停止する。左，中，右図柄表示部４，５，６に表示される図柄の種類は各々同じ図柄で１４種類であり、停止された図柄がいずれも同一図柄となった場合には、以下、大当たりということにするが、大当たりの場合には、振分け片２１が後退して役物入賞口７が５．９秒間開口される。なお、本実施形態では、停止された図柄がいずれも同一図柄となる大当たりの出現する確率を、高確率と通常確率の２種類設けている。
【００３１】
また、左図柄表示部４と右図柄表示部６の停止図柄が一致した場合、以下、この場合をリーチということにするが、左図柄表示部４と右図柄表示部６が一致してリーチとなった場合には、中図柄表示部５において、図柄停止となるまでの間図柄の高速変動と低速変動が繰り返し周期的に行われ、中図柄表示部５の低速変動時に左図柄表示部４と右図柄表示部６の停止図柄と同一の図柄が低速表示される。
【００３２】
図柄表示部３の図柄変動中または振分け片２１の動作中に新たに遊技球が図柄始動口９に入賞した場合、最高４個迄記憶され、図柄表示部３の図柄変動停止後または振分け片２１の動作終了後に再び図柄の変動を行う。
【００３３】
開口された役物入賞口７に遊技球が入賞すると、入賞した遊技球によって特定入賞口１５が開放され、さらに特定入賞口１５に遊技球が入賞すると、特定入賞口に入賞した遊技球は、遊技盤１裏面の球誘導路を移動して振分け装置１０内に落入する。振分け装置１０内には、通過口１２と右回転体１７の第３種始動口１４の機能の開始刺激となる特別通過口１３の２つがあって、振分け装置１０内に落入した遊技球は、振分け片７０に衝突した後振り分けられ、間歇的に左回転動作を行っている振分け回転体２６の３つの球受部２７，２８，２９の内のいずれかに落入し、振分け回転体２６の公転によって移送されて通過口１２と特別通過口１３のうちのいずれかに落入する。この時、遊技球が特別通過口１３に落入すると、遊技盤１の右方の右回転体１７の球受部６５が第３種始動口１４としての機能を有することとなる。
【００３４】
右回転体１７の球受部６５が第３種始動口１４としての機能を有する場合に、遊技球が右回転体１７の球受部６５に落入すると、即ち、第３種始動口１４に入賞すると、入賞した遊技球は右回転体１７の公転によって移送され、球落入口２２に落入し、大入賞口８が９．８秒間開放される。この大入賞口８の開放動作は、大入賞口８の開放時間中に入賞した遊技球の総数が１０個入賞した場合は、１０個目の検出を以て閉鎖される。
【００３５】
球落入口２２に遊技球が１６個入賞した場合、または再度振分け装置１０内の特別通過口１３に遊技球が落入した場合には、右回転体１７の球受部６５が第３種始動口１４としての機能を終了する。右回転体１７の球受部６５が第３種始動口１４としての機能を終了した時点で大入賞口８が開放中である場合には、大入賞口８は残りの時間開放される。
【００３６】
図１は、本発明のパチンコ機の図柄表示装置の要部を示すブロック図であって、パチンコ機の図柄表示装置の制御部は、図柄表示装置２の制御プログラム及び表示図柄用のデータ等を格納したＲＯＭ３１とデータの一時記憶等に用いられるＲＡＭ３２及びＲＯＭ３１の制御プログラムに従って図柄表示装置２の各部を駆動制御するＣＰＵ３０によって構成され、該制御部は条件検出手段や各図柄表示部の変動停止時間を異ならせて確定させる変動時間確定手段や、既に停止確定した図柄表示部の各図柄が特定の組合わせとなる必要条件を満たす場合に、変動表示を継続する残る１つの図柄表示部の変動速度を低速と高速とで繰り返し周期的に切替える変動速度制御手段を兼ねる。なお、ここでいうＲＯＭは書き込みや書き替えの不能な記憶手段を意味するものではない。
【００３７】
図柄始動口入賞検出スイッチＳＷ１，第３種始動口入賞検出スイッチＳＷ２，大入賞口入賞検出スイッチＳＷ３，特定領域入賞検出スイッチＳＷ４，左回転体定位置検出スイッチＳＷ５，振分け装置定位置検出スイッチＳＷ６の各々は、スイッチ検出部３３を介してＣＰＵ３０に接続され、また、左，中，右図柄表示部４，５，６の各々は、ＣＰＵ３０により個別にまたは同時に駆動制御されるようになっている。大入賞口８を開閉駆動する大入賞口開閉ソレノイドＳＯＬ１は、ソレノイド駆動回路３５を介しＣＰＵ３０に接続され、球振分け片２１を後退駆動する役物開放ソレノイドＳＯＬ２はソレノイド駆動回路３６を介しＣＰＵ３０に接続され、ＣＰＵ３０により個別にまたは同時に駆動制御されるようになっている。
【００３８】
さらに、左回転体１６を回転駆動する左回転体駆動モータＭ１がモータ駆動部３７を介してＣＰＵ３０に接続され、振分け装置１０を駆動する振分け装置駆動モータＭ２がモータ駆動部３８を介してＣＰＵ３０に接続され、右回転体１７を回転駆動する回転体駆動モータＭ３がモータ駆動部３９を介してＣＰＵ３０に接続され、ＣＰＵ３０により個別にまたは同時に駆動制御されるようになっている。また、クロック・リセット回路４０はＣＰＵ３０の処理周期を規定する。
【００３９】
ＣＰＵ３０は遊技盤１における各表示灯Ａ，Ｂ，Ｃ，Ｄ，Ｅや大入賞口入賞数表示ＬＥＤ２０や第３種始動口入賞数表示ＬＥＤ１８及び記憶数表示ＬＥＤ１９や右装飾ＬＥＤや左装飾ＬＥＤや中装飾ＬＥＤ等の駆動制御手段をも兼ねるが、これら各部材の駆動制御方式については周知であるから説明を省略する。
【００４０】
以下、ＲＯＭ３１に格納された制御プログラムの要部を示すフローチャート（図１０乃至図４０）を参照して本実施形態におけるパチンコ機の図柄表示装置２の処理動作を説明する。なお、図１０に示すタスク１の処理と図１１乃至図３２に示すタスク２の処理と、図３３乃至図３５に示すタスク３の処理と、図３６乃至図４０に示すタスク４の処理は、クロック・リセット回路４０からの信号に応じ、ＣＰＵ３０が所定の処理周期（μｓのオーダー）ごとに並列的に繰り返し実行するものである。なお、請求項１に記載の図柄生成記憶処理が上記タスク１及び２の処理に相当し、請求項１に記載の図柄の変動表示処理が上記タスク３の処理に相当するものである。したがって、図柄の変動表示処理とは別処理で図柄生成記憶処理が実行されるものである。
【００４１】
図１０に示すタスク１の処理は、左，中，右図柄表示部４，５，６の停止時の図柄をランダムに作成するための処理で、左図柄は１４段階、中図柄は１４段階、右図柄は１４段階の図柄データが設けられている。
【００４２】
ＣＰＵ３０は、所定処理周期毎に、左図柄データ記憶レジスタｒ０，中図柄データ記憶レジスタｒ１，右図柄データ記憶レジスタｒ２の各々に記憶される内部処理指標の値を逐次変化させて左，中，右図柄の組合せをランダムに作成する。
【００４３】
ＣＰＵ３０は、Ｒレジスタの現在値に基づいて左，右，中図柄データを作成して左図柄データ記憶レジスタｒ０，中図柄データ記憶レジスタｒ１，右図柄データ記憶レジスタｒ２の各々に作成した内部処理指標の値を記憶する（ステップａ１）。
【００４４】
ここで、Ｒレジスタは、ＲＯＭ３１に格納されたプログラムの１命令実行毎に実行結果の状態を記憶するレジスタであって、ＣＰＵ３０がプログラムの命令を１つ実行する毎に１つインクリメントされ、Ｒレジスタの内容は飽和状態に到達すると０クリアされる。
【００４５】
左図柄データは、Ｒレジスタの４ビット目と５ビット目及び６ビット目の値（０〜７までの値）に１を加算し、この加算値を左図柄データ記憶レジスタｒ０の値（０〜１３までの値）に加算して左図柄データ記憶レジスタｒ０に記憶する。そして、左図柄データ記憶レジスタｒ０の値が１４以上かどうかを判別し、１４以上であれば左図柄レジスタｒ０の値より１４を減算して左図柄データ記憶レジスタｒ０に格納する。この結果、左図柄データ記憶レジスタｒ０には０〜１３までのどれかの値がセットされる。
【００４６】
右図柄データは、Ｒレジスタの２ビット目３ビット目及び４ビット目の値（０〜７までの値）に１を加算し、この加算値を右図柄データ記憶レジスタｒ２の値（０〜１３までの値）に加算して右図柄データ記憶レジスタｒ２に記憶する。そして、右図柄データ記憶レジスタｒ２の値が１４以上かどうかを判別し、１４以上であれば右図柄レジスタｒ２の値より１４を減算して右図柄データ記憶レジスタｒ２に格納する。この結果、右図柄データ記憶レジスタｒ２には０〜１３までのどれかの値がセットされる。
【００４７】
中図柄データは、Ｒレジスタの０ビット目１ビット目及び２ビット目の値（０〜７までの値）に１を加算し、この加算値を中図柄データ記憶レジスタｒ１の値（０〜１３までの値）に加算して中図柄データ記憶レジスタｒ１に記憶する。そして、中図柄データ記憶レジスタｒ１の値が１４以上かどうかを判別し、１４以上であれば中図柄レジスタｒ１の値より１４を減算して中図柄データ記憶レジスタｒ１に格納する。この結果、中図柄データ記憶レジスタｒ１には０〜１３までのどれかの値がセットされる。
【００４８】
左，中，右図柄データ記憶レジスタｒ０乃至ｒ２に記憶される内部処理指標の値と図柄の関係は表１乃至表３に示す通りであって、左図柄と右図柄及び中図柄に関する内部処理指標の取り得る値は０乃至１３である。従って図柄可能な全ての組合わせの図柄を一巡して作成するためには１４3回の処理周期が必要とされる。
すなわち、請求項１の図柄生成記憶処理の第１ステップが図１０のタスク１に相当する。
【００４９】
【表１】
0003704066.tif 000002
【００５０】
【表２】
0003704066.tif 000003
【００５１】
【表３】
0003704066.tif 000004
図１１のタスク２の処理において、ステップｂ１〜ステップｂ７は請求項１の図柄生成記憶処理の第２ステップ及び第３ステップを示すものである。
図１１〜図３２に示すタスク２の処理は、左，右，中図柄表示部４，５，６の特別図柄の停止時の図柄判定に使用する大当り判定用乱数の作成と、図柄始動口９への遊技球の入賞に応じて大当り判定用乱数の値を記憶する処理と、左，右，中図柄表示部４，５，６の図柄変動処理と、左，中，右図柄表示部４，５，６における停止図柄の組合わせを判定する処理と、左停止図柄と右停止図柄の一致不一致を判定して、一致した場合には中図柄表示部５の変動速度を低速と高速とで繰り返して行う処理と、記憶された大当り判定用乱数の値に基づいて大当りの判定を行って、大当りの場合には役物入賞口７の開口動作を行う処理である。
【００５２】
タスク２の処理を開始したＣＰＵ３０は、まず、タスク１の処理で作成した図柄データ記憶レジスタｒ０乃至ｒ２に記憶された内部処理指標の値の全一致不一致を比較判定し（ステップｂ１）、図柄データ記憶レジスタｒ０乃至ｒ２に記憶された内部処理指標の値がすべて一致した場合には、各内部処理指標のｒ０乃至ｒ２の現在値を左，中，右大当り図柄データ記憶レジスタｒ０ａ乃至ｒ２ａの各々に格納し（ステップｂ２）、また、作成された内部処理指標の組合わせが不一致であり外れ図柄に関するものであれば各内部処理指標ｒ０乃至ｒ２の現在値を左，中，右外れ図柄データ記憶レジスタｒ０ｂ乃至ｒ２ｂの各々に格納する（ステップｂ３）。
【００５３】
次に、ＣＰＵ３０は、大当り用乱数記憶レジスタＷの値を０乃至７００の範囲でインクリメントし（ステップｂ４）、大当り用乱数記憶レジスタＷの値が７００に到達しているか否かを判別し（ステップｂ５）、大当り用乱数記憶レジスタＷの値が７００に到達する毎にレジスタＷの値を０に初期化する（ステップｂ６）。このため実際には、大当り用乱数記憶レジスタＷの値で７００が記憶されることはない。
【００５４】
ステップｂ６の処理の後、さらに、ＣＰＵ３０は、左停止図柄と右停止図柄とが一致した時の、即ち、リーチ時の中図柄の低速高速変動の繰り返し回数に関する中図柄変動乱数レジスタＵの値（０〜８までの値）をＲレジスタの現在値に基いて作成し、中図柄変動乱数レジスタＵに格納する（ステップｂ７）。
【００５５】
中図柄変動乱数レジスタＵの値は、Ｒレジスタの０ビット目１ビット目及び２ビット目の値（０〜７までの値）に１を加算し、この加算値を中図柄変動乱数レジスタＵの値（０〜８までの値）に加算して中図柄変動乱数レジスタＵに記憶する。そして、中図柄変動乱数レジスタＵの値が９以上かどうかを判別し、９以上であれば中図柄変動乱数レジスタＵの値より９を減算して中図柄変動乱数レジスタＵに格納する。この結果、中図柄変動乱数レジスタＵには０〜８までのどれかの値がセットされる。
【００５６】
請求項１の大当たり判定手段は図１２のステップｂ８〜図１４のステップｂ２５に相当する。
ステップｂ７の処理の後、ＣＰＵ３０は、図柄始動口９への遊技球の入賞があるか否かを、図柄始動口入賞検出スイッチＳＷ１よりの信号入力があるか否かにより判別し（ステップｂ８）、図柄始動口入賞検出スイッチＳＷ１よりの信号入力がある場合には、入賞記憶数カウンタＣの値を１つインクリメントすると共に（ステップｂ９）、入賞記憶数カウンタＣの値が規定の入賞記憶数５に達しているか否かを判別し（ステップｂ１０）、５に達していなければステップｂ１１以降の処理に移行し、入賞記憶数カウンタＣの現在値に対応して、確定乱数記憶レジスタＲ１乃至Ｒ４に大当り用乱数記憶レジスタＷの値を格納して記憶し（ステップｂ１１〜ステップｂ１７）、ステップｂ１８以降の処理に移行する。この結果、図柄始動口９への遊技球の入賞がある場合には、確定乱数記憶レジスタＲ１乃至Ｒ４に大当り用乱数記憶レジスタＷの値が最高４個まで記憶されることとなる。
【００５７】
また、ステップｂ８の判別処理において、図柄始動口入賞検出スイッチＳＷ１よりの信号入力が検出されなかった場合には、ＣＰＵ３０はステップｂ１８以降の処理に移行し、ステップｂ１０の判別処理において、入賞記憶数カウンタＣの現在値が５以上であった場合にもＣＰＵ３０は、ステップｂ１８以降の処理に移行する。
【００５８】
ＣＰＵ３０は、ステップｂ１よりステップｂ１８に至る処理によって、左，右，中図柄表示部４，５，６の図柄の停止時の図柄判定に使用する大当り判定用乱数の作成し、図柄始動口９への遊技球の入賞に応じて大当り判定用乱数の値を記憶する。
【００５９】
ＣＰＵ３０は、所定の処理周期でタスク２の処理を実行し、毎回のタスク２の処理において、ステップｂ１よりステップｂ１８に至る処理を実行するので、以下のステップｂ１８以降の説明に関してはステップｂ１よりステップｂ１８に至る処理の説明を省略する。
【００６０】
次に、ステップｂ１８以降の処理について説明する。ＣＰＵ３０は、ステップｂ２０乃至ステップｂ２５までの判別処理において、図柄動作フラグＦａの現在値を判別し、図柄動作フラグＦａの現在値に応じて左，右，中図柄表示部４，５，６の図柄変動処理と、記憶された大当り判定用乱数の値に基づいて大当りの判定を行って、大当りの場合には役物入賞口７の開口動作処理を行う。図柄動作フラグＦａの値は、０で図柄始動口９への入賞検出待ち状態、１で左，中，右図柄表示部４，５，６の変動中、２で右，中図柄表示部５，６の変動中、３で中図柄表示部５の変動中、４で役物入賞口７の開放までの待機中、５で役物入賞口７の開放中、６で役物入賞口７の閉鎖中を規定するものである。また、各図柄の変動停止は、左、右、中の順で行われる。
【００６１】
左，右，中の図柄表示部４，５，６の図柄変動が開始されていなければ、図柄動作フラグＦａの現在値は０となっており、ＣＰＵ３０は、ステップｂ１８の判別処理において、真と判定してステップｂ２４に移行し、入賞数記憶カウンタＣの現在値が０であるか否かを判別し（ステップｂ２４）、図柄始動口９への遊技球の入賞により入賞数記憶カウンタＣの値が０以外の値である場合には、入賞数記憶カウンタの値を１つデクリメントし（ステップｂ２５）、確定乱数記憶レジスタＲ１乃至Ｒ４のデータを確定値記憶レジスタＲ０および確定乱数記憶レジスタＲ１乃至Ｒ３に順次シフトして、確定乱数記憶レジスタＲ４に０をセットして初期化する（ステップｂ２６）。この結果、入賞数記憶カウンタＣの値が１つデクリメントされるため、次周期以降のタスク２の処理において、図柄始動口９への遊技球の入賞が検出された場合には、確定乱数記憶レジスタＲ４に大当り用乱数記憶レジスタＷの値が記憶されることとなる。一方、ステップｂ２４の判別処理において、入賞数記憶カウンタＣの値が０である場合には、図柄始動口９への遊技球の入賞が検出されなかったこととなるので、この場合には、ＣＰＵ３０は図柄の図柄変動を行わずに、タスク２の処理を終了する。
【００６２】
ステップｂ２６の処理を実行した場合には、ＣＰＵ３０は、左図柄の高速変動時間としてパラメータｔに所定値Ａ１を設定し（ステップｂ２７）、次いで、タイマＴ２を作動して計時を開始し（ステップｂ２８）、図柄動作フラグＦａの値を１に切替えて左，右，中図柄の図柄変動処理の開始を記憶し（ステップｂ２９）、変動状態フラグＦｂに１をセットし（ステップｂ３０）、図９に示される、左，右，中図柄の図柄変動処理のタイミングチャートに従って左，右，中図柄に関する高速変動処理を開始し（ステップｂ３１）、この周期の処理を終了する。
【００６３】
本実施形態においては、左図柄の高速変動時間Ａ１は、６．１４４秒である。変動状態フラグＦｂの値は、各図柄表示部４，５，６の図柄の変動状態を規定するフラグであり、０で停止、１で高速変動中、２で中速変動中、３で低速変動を規定するものである。また、各図柄の移行順序は、図４１に示す通りであり、各図柄の移行速度は、各図柄共に高速時は、０．０１６秒で２／８図柄、即ち、０．０６４秒／図柄であり、中速時は、０．０３２秒で１／８図柄、即ち、０．２５６秒／図柄であり、低速時は、０．０６４秒で１／８図柄、即ち、０．５１２秒／図柄となっている。
【００６４】
次周期以降の処理では、ＣＰＵ３０は図柄動作フラグＦａの値１に基づいて、ステップｂ１８およびステップｂ１９の判別後、ステップｂ３２に移行し、変動状態フラグＦｂの値１に応じて、変動表示開始後の経過時間Ｔ２がパラメータｔに設定した値に達するまでの間、ステップｂ１８，ステップｂ１９およびステップｂ３２，ステップｂ３３の判別処理と左，右，中の各図柄表示部４，５，６の高速変動に関するステップｂ４４の処理を所定の処理周期で繰り返し実行することとなる。
【００６５】
このようにして各図柄の高速変動処理を繰り返し実行する間に変動表示開始後の経過時間Ｔ２がパラメータｔに設定した値に達すると（ステップｂ３３）、ＣＰＵ３０は、確率フラグＦｐの値が高確率状態を規定する値１となっているか否かを判別する（ステップｂ３４）。ステップｂ３４の判別処理において、確率フラグＦｐの値が高確率状態を規定する値１であると判定された場合には、ＣＰＵ３０は、確定値記憶レジスタＲ０の値が設定値εと一致するか否か、即ち、今回の図柄変動処理の開始刺激となった図柄始動口９の入賞検出時点における大当り用乱数記憶レジスタＷの値が大当りに対応する設定値εと一致するか否かを判別し（ステップｂ３６）、確定値記憶レジスタＲ０の値が設定値εと一致すれば、左，中，右大当たり図柄データ記憶レジスタｒ０ａ乃至ｒ２ａの各値を左，中，右表示図柄データ記憶レジスタｒ０ｃ乃至ｒ２ｃに格納する一方（ステップｂ３７）、確定値記憶レジスタＲ０の値が設定値７と一致しなければ、左，中，右外れ図柄データ記憶レジスタｒ０ｂ乃至ｒ２ｂの各値を左，中，右表示図柄データ記憶レジスタｒ０ｃ乃至ｒ２ｃの各々に格納して（ステップｂ３８）、変動停止時に左，中，右図柄表示部４，５，６に表示すべき図柄を確定する。
【００６６】
本実施形態では、高確率状態である場合の大当たり判定に関する設定値εを１０，２０，３０，４０，５０の５種類設けている。即ち、高確率状態である場合、図柄始動口９の入賞に起因する図柄変動が大当たりとなる確率は、大当たり用乱数の取り得る範囲の数が０乃至６９９の７００種類であるので、５／７００である。
【００６７】
また、ステップｂ３４の判別処理において、確率フラグＦｐの値が高確率状態を規定する値１でないと判定された場合には、即ち、大当たりを判定する確率が通常状態である場合には、ＣＰＵ３０は、確定値記憶レジスタＲ０の値が設定値１０または２５５と一致するか否かを判別し（ステップｂ３５）、ステップｂ３５の判定結果が真である場合には、即ち、今回の図柄変動処理の開始刺激となった図柄始動口９の入賞検出時点における大当り用乱数記憶レジスタＷの値が大当りに関するものである場合には、ステップｂ３７の処理を行い、また、ステップｂ３５の判定結果が偽である場合には、即ち、今回の図柄変動処理の開始刺激となった図柄始動口９の入賞検出時点における大当り用乱数記憶レジスタＷの値が大当りに関するものでない外れである場合には、ステップｂ３８の処理を行う。通常状態である場合、図柄始動口９の入賞に起因する図柄変動が大当たりとなる確率は、大当たり用乱数の取り得る範囲の数が０乃至６９９の７００種類であるので、２／７００である。
【００６８】
ステップｂ３７またはステップｂ３８の処理実行後、ＣＰＵ３０は、左図柄の変動停止時間ｔ３時に左表示図柄データ記憶レジスタｒ０ｃの内部処理指標に対応する図柄が表示されるように左図柄に関する表示指標ｉｌの値を設定変更して（ステップｂ３９）、左図柄の中速変動時間としてパラメータｔに所定値Ａを設定し（ステップｂ４０）、タイマＴ２を作動して計時を開始し（ステップｂ４１）、変動状態記憶フラグＦｂに２をセットして（ステップｂ４２）、左図柄表示部５の変動速度を高速変動から中速変動に切り替え（ステップｂ４３）、この周期のタスク２の処理を終了する。なお、本実施形態では左図柄の中速変動時間としての所定値Ａを０．１２８秒としている。
【００６９】
ｔ１時における左図柄表示部４の表示指標ｉｌの値は自明でないが、左図柄表示部４の中速および低速変動時間ｔ３−ｔ１＝Ａ＋Ｂの値は予め設定されており、また、左図柄表示部４の中速および低速変動速度は各々一定であるから、左図柄表示部４の変動停止時間ｔ３時に左図柄表示部４に表示すべき図柄の表示指標の情報のみに基いて、表示指標ｉｌの設定変更値を求めることができる。
【００７０】
実施形態の処理タイミングによれば、高速変動から中速変動への切り替えに際し、表示指標ｉｌの現在値が変動停止時に左図柄表示部４に表示すべき図柄の表示指標よりも１図柄前の表示指標となるようにｉｌの値を設定変更することにより、変動停止時にｒ０ｃの図柄を得ることができる。
【００７１】
次周期以降の処理では、ＣＰＵ３０は、図柄動作フラグＦａの値が１となっているので、ステップｂ１８，ステップｂ１９及びステップｂ３２の判別処理実行後ステップｂ４５に移行し、以下、変動状態記憶フラグＦｂの現在値２に応じて、左図柄表示部４の中速変動表示開始後の経過時間Ｔ２がパラメータｔの値に達するまでの間、ステップｂ１８，ステップｂ１９，ステップｂ３２およびステップｂ４５乃至ステップｂ４６の判別処理と、左図柄表示部４の中速変動に関する処理および中，右の各図柄表示部５，６の高速変動に関するステップｂ５１の処理を所定の処理周期で繰り返し実行することとなる。
【００７２】
そして、中速変動表示開始後の経過時間Ｔ２がパラメータｔの値に達すると（ステップｂ４６）、ＣＰＵ３０は、左図柄の低速変動時間としてパラメータｔに所定値Ｂを設定し（ステップｂ４７）、タイマＴ２を作動して計時を開始し（ステップｂ４８）、変動状態記憶フラグＦｂに３をセットして（ステップｂ４９）、左図柄表示部４の変動速度を中速変動から低速変動に切り替え（ステップｂ５０）、この周期のタスク２の処理を終了する。実施形態では、左図柄の低速変動時間としての所定値Ｂを０．２５６秒としている。
【００７３】
次周期以降の処理では、ＣＰＵ３０はステップｂ１８，ステップｂ１９，ステップｂ３２およびステップｂ４５の判別処理実行後ステップｂ５２に移行し、以下、変動状態記憶フラグＦｂの現在値３に応じて、左図柄表示部４の低速変動表示開始後の経過時間Ｔ２がパラメータｔの値に達するまでの間、ステップｂ１８，ステップｂ１９，ステップｂ３２，ステップｂ４５およびステップｂ５２の判別処理と、左図柄表示部４の低速変動および中，右の各図柄表示部５，６の高速変動に関するステップｂ６１の処理を所定の処理周期で繰り返し実行することとなる。
【００７４】
そして、左図柄表示部４の低速変動表示開始後の経過時間Ｔ２がパラメータｔの値に達すると（ステップｂ５２）、ＣＰＵ３０は、左図柄の低速変動停止する（ステップｂ５３）。この時点で左表示図柄データ記憶レジスタｒ０ｃに記憶された内部処理指標に対応する図柄が静止表示されることとなる。
【００７５】
次いで、ＣＰＵ３０は、右図柄表示部６の中速変動時間を設定するために、まず、Ｒレジスタの０，１ビット（０〜３までの値）を右図柄変動乱数レジスタＺに格納し（ステップｂ５４）、次いで、ＣＰＵ３０は、右図柄変動乱数レジスタＺの現在値に応じて、表４に示されるようなＲＯＭ３１の選択条件ファイルに基いて右図柄表示部６の中速変動時間Ｃ（ｈ）を選択してパラメータｔに設定し（ステップｂ５５）、さらに、右図柄変動乱数レジスタＺの現在値に応じて、表４に示されるようなＲＯＭ３１の選択条件ファイルに基いて、図柄変動数、即ち、中速及び低速変動時間内に変動される図柄の変動数を選択し、選択した図柄変動数に基づき、右図柄表示部６の変動停止時間ｔ５時に右表示図柄データ記憶レジスタｒ２ｃの内部処理指標に対応する図柄が表示されるように右図柄に関する表示指標ｉｒの値を選択される図柄変動数分前の値に設定変更し（ステップｃ５６）、ステップｃ５７に移行する。左図柄表示部４の変動時間が固定的な値であるのに対し、右図柄表示部６の変動時間は右図柄変動乱数レジスタＺの現在値によるのでランダムなものである。
【００７６】
【表４】
0003704066.tif 000005
本実施形態では、右図柄表示部６の中速変動時間Ｃは、４種類設けてあり、それぞれ、０．２８８秒、０．５４４秒、０．８００秒、１．０５６秒の内のいずれかがパラメータｔに設定されるる。
【００７７】
次いで、ＣＰＵ３０は、タイマＴ２を作動して計時を開始し（ステップｂ５７）、図柄動作フラグＦａの値を２に切替え（ステップｂ５８）、変動状態記憶フラグＦｂに２をセットして（ステップｂ５９）、右図柄表示部６の変動速度を高速変動から中速変動に切り替え（ステップｂ６０）、この周期のタスク２の処理を終了する。
【００７８】
次の処理周期では、図柄動作フラグＦａの値が２となるため、ＣＰＵ３０は図柄動作フラグＦａの値２に基づいて、ステップｂ１８及びステップｂ１９の判別後、ステップｂ２０に移行し、変動状態フラグＦｂの値２に応じて、右図柄の中速変動表示開始後の経過時間Ｔ２がパラメータｔの値に達するまでの間、ステップｂ１８，ステップｂ１９，ステップｂ２０およびステップｂ６２乃至ステップｂ６３の判別処理と右図柄表示部６の中速変動および中図柄表示部５の高速変動に関するステップｂ６８の処理を所定の処理周期で繰り返し実行することとなる。
【００７９】
そして、右図柄の中速変動表示開始後の経過時間Ｔ２がパラメータｔの値に達すると（ステップｂ６３）、ＣＰＵ３０は、右図柄の低速変動時間としてパラメータｔに所定値Ｄを設定し（ステップｂ６４）、タイマＴ２を作動して計時を開始し（ステップｂ６５）、変動状態記憶フラグＦｂに３をセットして（ステップｂ６６）、右図柄表示部６の変動速度を中速変動から低速変動に切り替え（ステップｂ６７）、この周期のタスク２の処理を終了する。実施形態では、右図柄の低速変動時間としての所定値Ｄを０．４８０秒としている。
【００８０】
次周期以降の処理では、ＣＰＵ３０は、図柄動作フラグＦａの値が２であるので、ステップｂ１８，ステップｂ１９，ステップｂ２０およびステップｂ６２の判別処理実行後ステップｂ６９に移行し、以下、変動状態記憶フラグＦｂの現在値３に応じて、右図柄の低速変動表示開始後の経過時間Ｔ２がパラメータｔの値に達するまでの間、ステップｂ１８，ステップｂ１９，ステップｂ２０，ステップｂ６２及びステップｂ６９の判別処理と、右図柄表示部６の低速変動および中図柄表示部５の高速変動に関するステップｂ７０の処理を所定の処理周期で繰り返し実行することとなる。
【００８１】
そして、右図柄の低速変動表示開始後の経過時間Ｔ２がパラメータｔの値に達すると（ステップｂ６９）、ＣＰＵ３０は、右図柄の低速変動停止する（ステップｂ７１）。この時点で右表示図柄データ記憶レジスタｒ２ｃに記憶された内部処理指標に対応する図柄が静止表示されることとなる。
【００８２】
右図柄表示部６の変動開始から停止迄の時間は、左図柄表示部４の変動時間がＡ１＋Ａ＋Ｂであり、即ち、本実施形態においては、６．５２８秒であり、右図柄表示部６の中速変動時間Ｃは、４種類であって、それぞれ、０．２８８秒、０．５４４秒、０．８００秒、１．０５６秒の内のいずれかであり、右図柄表示部６の低速変動時間Ｄは、０．４８０秒であるので、７．２９６秒、７．５５２秒、７．８０８秒、８．０６４秒のうちのいずれかとなる。
【００８３】
次いで、ＣＰＵ３０は、左図柄表示部４の表示指標ｉｌの現在値と右図柄表示部６の表示指標ｉｒの現在値とが一致しているか否か、即ち、変動表示を停止した左図柄表示部４と右図柄表示部６の図柄組合せが大当り図柄の組合せの必要条件を満足しているか否かを比較判定し（ステップｂ７２）、判定結果に応じて、ｔ５時以降の図柄変動処理、即ち、中図柄表示部５の変動時間設定に必要とされる各種のデータを設定することとなる。
【００８４】
まず、ステップｂ７２の判別結果が偽となった場合、即ち、左図柄表示部４の停止図柄と右図柄表示部６の停止図柄とが一致していず、大当りの発生する確率が皆無の場合には、即ち、リーチとなっていない場合には、ＣＰＵ３０は、中図柄表示部５の変動停止時間ｔ７時に中表示図柄データ記憶レジスタｒ１ｃの内部処理指標に対応する図柄が表示されるように中図柄に関する表示指標ｉｃの値を１図柄前の値に設定変更し（ステップｂ７３）、中図柄の中速変動時間としてパラメータｔに予め決められた値Ａを設定して（ステップｂ７４）、タイマＴ２を作動して計時を開始し（ステップｂ７５）、図柄動作フラグＦａの値を３に切替え（ステップｂ７６）、変動状態記憶フラグＦｂに２をセットして（ステップｂ７７）、中図柄表示部５の変動速度を高速変動から中速変動に切り替え（ステップｂ７８）、この周期のタスク２の処理を終了する。
【００８５】
次の処理周期では、図柄動作フラグＦａの値が３となるため、ＣＰＵ３０は図柄動作フラグＦａの値３に基づいて、ステップｂ１８，ステップｂ１９，ステップｂ２０，ステップｂ２１の判別後、ステップｂ７９に移行し、以下、変動状態フラグＦｂの値２に応じて、中図柄の中速変動表示開始後の経過時間Ｔ２がパラメータｔの値に達するまでの間、ステップｂ１８，ステップｂ１９，ステップｂ２０，ステップｂ２１およびステップｂ７９乃至ステップｂ８０の判別処理と中図柄表示部５の中速変動に関するステップｂ８５の処理を所定の処理周期で繰り返し実行することとなる。
【００８６】
そして、中図柄の中速変動表示開始後の経過時間Ｔ２がパラメータｔの値に達すると（ステップｂ８０）、ＣＰＵ３０は、中図柄の低速変動時間としてパラメータｔに所定値Ｂを設定し（ステップｂ８１）、タイマＴ２を作動して計時を開始し（ステップｂ８２）、変動状態記憶フラグＦｂに３をセットして（ステップｂ８３）、中図柄表示部５の変動速度を中速変動から低速変動に切り替え（ステップｂ８４）、この周期のタスク２の処理を終了する。
【００８７】
次周期以降の処理では、ＣＰＵ３０は、変動状態フラグＦｂの値が３となっているため、ステップｂ１８，ステップｂ１９，ステップｂ２０，ステップｂ２１およびステップｂ７９の判別処理実行後ステップｂ８６に移行し、以下、変動状態記憶フラグＦｂの現在値３に応じて、中図柄の低速変動表示開始後の経過時間Ｔ２がパラメータｔの値に達するまでの間、ステップｂ１８，ステップｂ１９，ステップｂ２０，ステップｂ２１，ステップｂ７９及びステップｂ８６の判別処理と、中図柄表示部５の低速変動に関するステップｂ９１の処理を所定の処理周期で繰り返し実行することとなる。
【００８８】
そして、中図柄の低速変動表示開始後の経過時間Ｔ２がパラメータｔの値に達すると（ステップｂ８６）、ＣＰＵ３０は、中図柄の低速変動停止する（ステップｂ８７）。この時点で中表示図柄データ記憶レジスタｒ１ｃに記憶された指標に対応する図柄が静止表示されることとなる。この場合、停止した左，右，中図柄表示部４，５，６の図柄組合せは、すべて同一図柄とはなっていないので、大当り図柄の組合せでないことになり、ＣＰＵ３０は、確率フラグＦｐの値を０クリアして通常確率状態とし（ステップｂ８８）、図柄動作フラグＦａの値を０セットして初期化し（ステップｂ８９）、変動状態フラグＦｂの値を０セットして初期化し（ステップｂ９０）、この周期のタスク２の処理を終了する。この場合には、図柄動作フラグＦａの値が０とされるため次周期でのタスク２の処理では、ＣＰＵ３０は、ステップｂ１８の判別処理後ステップｂ２４に移行し、図柄始動口９への入賞記憶があれば新たな図柄の図柄変動処理が開始されることとなる。
【００８９】
また、ステップｂ７２の判別結果が真となった場合、即ち、左図柄表示部４の停止図柄と右図柄表示部６の停止図柄とが一致して大当り図柄の組合わせの必要条件を満足するリーチとなった場合には、ＣＰＵ３０は、中図柄表示部５の変動速度を低速と高速とで繰り返し周期的に可変表示し、左図柄表示部４と右図柄表示部６に停止表示されている停止図柄を低速変動時において変動表示する処理を行う。
【００９０】
まず、ＣＰＵ３０は、中図柄変動用乱数レジスタＵの値に応じて表５に示されるようなＲＯＭ３１の選択条件ファイルに基いて、低速変動時間Ｇと高速変動時間Ｈを１セットとして繰り返す回数を選択して変動回数カウンタＣ１に値を格納する（ステップｃ１）。本実施形態では、中図柄の低速変動と高速変動の繰り返し回数を最高３回迄繰り返すようにしている。
【００９１】
【表５】
0003704066.tif 000006
さらに、ＣＰＵ３０は、変動中の中図柄の表示指標ｉｃの現在値より、停止表示されている左図柄に関する表示指標ｉｌの値より２２／８図柄前の表示指標ｉｃ′迄の図柄数を算出し、変動する図柄数に応じて、表６に示されるようなＲＯＭ３１の選択条件ファイルに基いて中図柄の高速変動時間Ｆを選択してパラメータｔに設定する（ステップｃ２）。
【００９２】
【表６】
0003704066.tif 000007
停止表示される左図柄及び右図柄の図柄の種類は、図４１に示されるように１４種類あるので、変動する図柄数も１４種類となる。また、表６では変動される図柄数が１図柄おきとなっているが、高速変動時の図柄の移行速度は、０．０６４秒で１図柄分変動し、右図柄表示部６の変動開始から変動停止までの時間が７．２９６秒、７．５５２秒、７．８０８秒、８．０６４秒のうちのいずれかであるので、この間に高速変動している中図柄は、１１４図柄分、１１８図柄分、１２２図柄分、１２６図柄分のいずれかであることとなる。このことより、変動開始時には図柄が必ず定位置にあるので、右図柄停止時にも中図柄が定位置にあることとなる。
【００９３】
ステップｃ２の処理後、ＣＰＵ３０は、タイマＴ２を作動して計時を開始し（ステップｃ３）、図柄動作フラグＦａの値を４に切替え（ステップｃ４）、リーチ変動状態記憶フラグＦｃに１をセットして（ステップｃ５）、中図柄表示部７の変動速度を高速変動のまま継続し（ステップｃ６）、この周期のタスク２の処理を終了する。
【００９４】
ここで、リーチ変動状態記憶フラグＦｃは、リーチ時における中図柄の変動状態を規定する値であって、図９において、変動時間Ｆの間で１、変動時間Ｇの間で２、変動時間Ｈの間で３、変動時間Ｉの間で４、変動時間Ｊの間で５、変動時間Ａの間で６、変動時間Ｂの間で７である。
【００９５】
次の処理周期以降では、図柄動作フラグＦａの値が４となるため、ＣＰＵ３０は図柄動作フラグＦａの値４に基づいて、ステップｂ１８，ステップｂ１９，ステップｂ２０，ステップｂ２１，ステップｂ２２の判別後、ステップｃ７に移行し、以下、リーチ変動状態フラグＦｃの値１に応じて、中図柄の高速変動表示開始後の経過時間Ｔ２がパラメータｔの値に達するまでの間、ステップｂ１８，ステップｂ１９，ステップｂ２０，ステップｂ２１，ステップｂ２２およびステップｃ７乃至ステップｃ８の判別処理と中図柄表示部５の高速変動に関するステップｃ９の処理を所定の処理周期で繰り返し実行することとなる。
【００９６】
そして、中図柄の中速変動表示開始後の経過時間Ｔ２がパラメータｔの値に達すると（ステップｃ８）、ＣＰＵ３０は、中図柄の低速変動時間としてパラメータｔに所定値Ｇを設定し（ステップｃ１０）、タイマＴ２を作動して計時を開始し（ステップｃ１１）、リーチ変動状態記憶フラグＦｃに２をセットして（ステップｃ１２）、中図柄表示部５の変動速度を高速変動から低速変動に切り替え（ステップｃ１３）、この周期のタスク２の処理を終了する。
【００９７】
この時点で、中図柄表示部５には、左図柄表示部４と右図柄表示部６とに停止表示された図柄と同一の図柄より２２／８図柄前、即ち、２図柄と６／８図柄前より低速変動表示が開始されることとなる。
【００９８】
次周期以降の処理では、ＣＰＵ３０は、リーチ変動状態フラグＦｃの値が２となっているため、ステップｂ１８，ステップｂ１９，ステップｂ２０，ステップｂ２１およびステップｃ７の判別処理実行後ステップｃ１４に移行し、以下、リーチ変動状態記憶フラグＦｃの現在値２に応じて、中図柄の低速変動表示開始後の経過時間Ｔ２がパラメータｔの値に達するまでの間、ステップｂ１８，ステップｂ１９，ステップｂ２０，ステップｂ２１，ステップｂ２２，ステップｃ７及びステップｃ１４の判別処理と、中図柄表示部５の低速変動に関するステップｃ１６の処理を所定の処理周期で繰り返し実行することとなる。
【００９９】
本実施形態では、低速変動時間Ｇを１．９２０秒としているため、低速変動時の図柄の移行速度が０．０６４秒で１／８図柄であり、即ち、０．５１２秒／図柄であることから、３図柄と６／８図柄分低速変動することとなる。即ち、左図柄表示部４と右図柄表示部６とに停止表示された図柄と同一の図柄より２図柄と６／８図柄前から３図柄と６／８図柄分低速変動することとなる。従って、中図柄表示部５には、左図柄表示部４と右図柄表示部６とに停止表示された図柄と同一の図柄が低速で変動表示されることとなり、左図柄表示部４と右図柄表示部６とに停止表示された図柄の次の図柄まで低速変動する。
【０１００】
中図柄の低速変動表示開始後の経過時間Ｔ２がパラメータｔの値に達すると（ステップｃ１５）、ＣＰＵ３０は、中図柄の高速変動時間としてパラメータｔに所定値Ｈを設定し（ステップｃ１７）、タイマＴ２を作動して計時を開始し（ステップｃ１８）、リーチ変動状態記憶フラグＦｃに３をセットして（ステップｃ１９）、再び中図柄表示部５の変動速度を低速変動から高速変動に切り替え（ステップｃ２０）、この周期のタスク２の処理を終了する。
【０１０１】
次周期以降の処理では、ＣＰＵ３０は、リーチ変動状態フラグＦｃの値が３となっているため、ステップｂ１８，ステップｂ１９，ステップｂ２０，ステップｂ２１，ステップｃ７およびステップｃ１４の判別処理実行後ステップｃ２１に移行し、以下、リーチ変動状態記憶フラグＦｃの現在値３に応じて、中図柄の高速変動表示開始後の経過時間Ｔ２がパラメータｔの値に達するまでの間、ステップｂ１８，ステップｂ１９，ステップｂ２０，ステップｂ２１，ステップｂ２２，ステップｃ７，ステップｃ１４，ステップｃ２１及びステップｃ２２の判別処理と、中図柄表示部５の高速変動に関するステップｃ２３の処理を所定の処理周期で繰り返し実行することとなる。
【０１０２】
本実施形態では、高速変動時間Ｈを０．６５６秒としているため、高速変動時の図柄の移行速度が０．０１６秒で２／８図柄であり、即ち、０．０６４秒／図柄であることから、１０図柄と２／８図柄分高速変動することとなる。即ち、左図柄表示部４と右図柄表示部６とに停止表示された図柄と同一の図柄の次の図柄より１０図柄と２／８図柄分だけ高速変動することとなるため、再び、左図柄表示部４と右図柄表示部６とに停止表示された図柄より２図柄と６／８図柄前まで高速変動することとなる。
【０１０３】
そして、中図柄の高速変動表示開始後の経過時間Ｔ２がパラメータｔの値に達すると（ステップｃ２２）、ＣＰＵ３０は、中図柄の低速と高速の繰り返し回数を設定した変動回数カウンタＣ１の値を１つデクリメントし（ステップｃ２４）、変動回数カウンタＣ１の値が０であるか否かを判別する（ステップｃ２５）。ステップｃ２５の判別処理において、変動回数カウンタＣ１の値が０でないと判定された場合には、ＣＰＵ３０は、再びリーチ変動状態フラグＦｃの値を２に切り替え（ステップｃ２６）、ステップｃ１０へ移行して低速変動時間Ｇをパラメータｔに設定した後、中図柄表示部５の低速と高速の変動表示を行う。本実施形態では、変動回数カウンタＣ１に設定される値が最大３であるので、中図柄表示部５の低速と高速の変動表示が最高で３回繰り返して行われる。
【０１０４】
また、ステップｃ２５の判別処理において、変動回数カウンタＣ１の値が０であると判定された場合には、ＣＰＵ３０は、中図柄に関する表示指標ｉｃの現在値より、中表示図柄データ記憶レジスタｒ１ｃに記憶された値によって確定する中図柄まで図柄数を算出し、この図柄数に基づき表７に示されるようなＲＯＭ３１の選択条件ファイルよりｔ１０時以降の各変動時間Ｉ，Ｊ，Ａ，Ｂを選択してパラメータｔ１乃至ｔ４に設定する（ステップｃ２８）。なお、請求項１に記載の繰り返し変動の高速の変動終了後に設けられた低速変動は、上記変動時間Ｉの間に行われる低速変動に相当する。また、当該低速の変動時間Ｉは、表７に示すように残る１つの図柄表示部（中図柄）の停止図柄によって変わる。
【０１０５】
【表７】
0003704066.tif 000008
ステップｃ２８の処理後、ＣＰＵ３０は、リーチ変動状態記憶フラグＦｃに４をセットして（ステップｃ２９）、再び中図柄表示部５の変動速度を高速変動から低速変動に切り替え（ステップｃ３０）、この周期のタスク２の処理を終了する。
【０１０６】
次周期以降の処理では、ＣＰＵ３０は、リーチ変動状態フラグＦｃの値が４となっているため、ステップｂ１８，ステップｂ１９，ステップｂ２０，ステップｂ２１，ステップｃ７，ステップｃ１４およびステップｃ２１の判別処理実行後ステップｃ３１に移行し、以下、リーチ変動状態記憶フラグＦｃの現在値４に応じて、中図柄の低速変動表示開始後の経過時間Ｔ２がパラメータｔ１の値に達するまでの間、ステップｂ１８，ステップｂ１９，ステップｂ２０，ステップｂ２１，ステップｂ２２，ステップｃ７，ステップｃ１４，ステップｃ２１，ステップｃ３１及びステップｃ３２の判別処理と、中図柄表示部５の低速変動に関するステップｃ３３の処理を所定の処理周期で繰り返し実行することとなる。
【０１０７】
表７に示されるように、ｔ１０時以降の各変動時間Ｉ，Ｊ，Ａ，Ｂを確定されるまでの図柄数によって設定するので、ｔ１１時以降の変動時間Ｉ，Ａ，Ｂに関して変動時間が０となる場合、即ち、図柄変動を行わない場合がある。
【０１０８】
中図柄の低速変動表示開始後の経過時間Ｔ２がパラメータｔ１の値に達すると（ステップｃ３２）、ＣＰＵ３０は、パラメータｔ２に設定された変動時間が０であるか否かを判別し（ステップｃ３４）、パラメータｔ２に設定された変動時間が０である場合には、パラメータｔ３に設定された変動時間が０であるか否かを判別する（ステップｃ３８）。表７より、変動する図柄が６／８，１４／８，２２／８，３０／８の場合には、変動時間Ｉのみが設定され、変動時間Ｊ，Ａ，Ｂには０が設定されるので、低速変動のみが行われる。また、変動する図柄が３８／８の場合には、変動時間Ｊのみ０が設定されるため、低速変動後、中速変動及び低速変動が行われる。ＣＰＵ３０は、ステップｃ３４及びステップｃ３８のいずれの判別処理においてもパラメータｔ２及びｔ３に設定された値が０であると判定した場合には、ステップｃ５３に移行して中図柄を停止する（ステップｃ５３）。また、ステップｃ３４の判別処理においてパラメータｔ２に設定された値が０であると判定した後、ステップｃ３８の判別処理においてパラメータｔ３に設定された値が０でないと判定した場合には、ステップｃ４２に移行する。
【０１０９】
ステップｃ３４の判別処理において、パラメータｔ２に設定された変動時間が０でないと判定した場合には、ＣＰＵ３０は、タイマＴ２を作動して計時を開始し（ステップｃ３５）、リーチ変動状態記憶フラグＦｃに５をセットして（ステップｃ３６）、中図柄表示部５の変動速度を低速変動から高速変動に切り替え（ステップｃ３７）、この周期のタスク２の処理を終了する。
【０１１０】
次周期以降の処理では、ＣＰＵ３０は、リーチ変動状態フラグＦｃの値が５となっているため、ステップｂ１８，ステップｂ１９，ステップｂ２０，ステップｂ２１，ステップｃ７，ステップｃ１４，ステップｃ２１，ステップｃ３１の判別処理実行後ステップｃ３９に移行し、以下、リーチ変動状態記憶フラグＦｃの現在値５に応じて、中図柄の高速変動表示開始後の経過時間Ｔ２がパラメータｔ２の値に達するまでの間、ステップｂ１８，ステップｂ１９，ステップｂ２０，ステップｂ２１，ステップｂ２２，ステップｃ７，ステップｃ１４，ステップｃ２１，ステップｃ３１，ステップｃ３９及びステップｃ４０の判別処理と、中図柄表示部５の高速変動に関するステップｃ４１の処理を所定の処理周期で繰り返し実行することとなる。
【０１１１】
そして、中図柄の高速変動表示開始後の経過時間Ｔ２がパラメータｔ２の値に達すると（ステップｃ４０）、ＣＰＵ３０は、タイマＴ２を作動して計時を開始し（ステップｃ４２）、リーチ変動状態記憶フラグＦｃに６をセットして（ステップｃ４３）、中図柄表示部５の変動速度を高速変動から中速変動に切り替え（ステップｃ４４）、この周期のタスク２の処理を終了する。
【０１１２】
次周期以降の処理では、ＣＰＵ３０は、リーチ変動状態フラグＦｃの値が６となっているため、ステップｂ１８，ステップｂ１９，ステップｂ２０，ステップｂ２１，ステップｃ７，ステップｃ１４，ステップｃ２１，ステップｃ３１，ステップｃ３９の判別処理実行後ステップｃ４５に移行し、以下、リーチ変動状態記憶フラグＦｃの現在値６に応じて、中図柄の中速変動表示開始後の経過時間Ｔ２がパラメータｔ３の値に達するまでの間、ステップｂ１８，ステップｂ１９，ステップｂ２０，ステップｂ２１，ステップｂ２２，ステップｃ７，ステップｃ１４，ステップｃ２１，ステップｃ３１，ステップｃ３９，ステップｃ４５及びステップｃ４６の判別処理と、中図柄表示部５の中速変動に関するステップｃ４７の処理を所定の処理周期で繰り返し実行することとなる。
【０１１３】
そして、中図柄の中速変動表示開始後の経過時間Ｔ２がパラメータｔ３の値に達すると（ステップｃ４６）、ＣＰＵ３０は、再度タイマＴ２を作動して計時を開始し（ステップｃ４８）、リーチ変動状態記憶フラグＦｃに７をセットして（ステップｃ４９）、中図柄表示部５の変動速度を中速変動から低速変動に切り替え（ステップｃ５０）、この周期のタスク２の処理を終了する。
【０１１４】
次周期以降の処理では、ＣＰＵ３０は、リーチ変動状態フラグＦｃの値が７となっているため、ステップｂ１８，ステップｂ１９，ステップｂ２０，ステップｂ２１，ステップｃ７，ステップｃ１４，ステップｃ２１，ステップｃ３１，ステップｃ３９の判別処理実行後ステップｃ５１に移行し、以下、リーチ変動状態記憶フラグＦｃの現在値７に応じて、中図柄の中速変動表示開始後の経過時間Ｔ２がパラメータｔ４の値に達するまでの間、ステップｂ１８，ステップｂ１９，ステップｂ２０，ステップｂ２１，ステップｂ２２，ステップｃ７，ステップｃ１４，ステップｃ２１，ステップｃ３１，ステップｃ３９及びステップｃ５１の判別処理と、中図柄表示部５の低速変動に関するステップｃ５２の処理を所定の処理周期で繰り返し実行することとなる。
【０１１５】
そして、中図柄の中速変動表示開始後の経過時間Ｔ２がパラメータｔ４の値に達すると（ステップｃ５１）、ＣＰＵ３０はステップｃ５３に移行して中図柄を停止する（ステップｃ５３）。この時点で中表示図柄データ記憶レジスタｒ１ｃに記憶された指標に対応する図柄が静止表示されることとなる。
【０１１６】
左図柄表示部４と右図柄表示部６に停止された図柄が一致した場合、即ち、リーチ時には、中図柄表示部５において、左図柄表示部４と右図柄表示部６とに停止表示された図柄が低速で周期的に繰り返し変動表示される。
【０１１７】
ステップｃ５３の処理後、ＣＰＵ３０は、確率フラグＦｐを０セットして通常確率状態にし（ステップｃ５４）、ステップｃ５５に移行して停止した図柄の判定を行う。
【０１１８】
左，右，中の各図柄を停止表示したＣＰＵ３０は、リーチ時においては既に左図柄表示部４の表示指標ｉｌの現在値と右図柄表示部６の表示指標ｉｒの現在値が一致しているので、左図柄表示部４の表示指標ｉｌの現在値と中図柄表示部５の表示指標ｉｃの現在値とが一致しているか否か、即ち、変動表示を停止した左，右，中図柄表示部４，５，６の図柄組合せが大当り図柄の組合せであるか否かを比較判定し（ステップｃ５５）、判定結果に応じて、役物入賞口７の開口動作処理に必要とされる各種のデータを設定することとなる。
【０１１９】
まず、ステップｃ５５の判別処理において、停止した左，右，中図柄表示部４，５，６の図柄組合せが大当り図柄の組合せでない場合には、ＣＰＵ３０は、図柄動作フラグＦａの値を０セットして初期化し（ステップｃ６１）、変動状態フラグＦｂの値を０セットして初期化し（ステップｃ６２）、リーチ変動状態フラグＦｃの値を０セットして初期化し（ステップｃ６３）、この周期のタスク２の処理を終了する。この場合には、図柄動作フラグＦａの値が０とされるため次周期でのタスク２の処理では、ＣＰＵ３０は、ステップｂ１８の判別処理後ステップｂ２４に移行し、図柄始動口９への入賞記憶があれば新たな図柄の図柄変動処理が開始されることとなる。
【０１２０】
一方、ステップｃ５５の判別処理において、停止した左，右，中図柄表示部４，５，６の図柄組合せが大当り図柄の組合せである場合には、図４２に示すタイミングチャートに従って役物入賞口７の開口動作処理が実行されることとなり、ＣＰＵ３０は、変動状態フラグＦｂの値を０セットして初期化し（ステップｃ５６）、リーチ変動状態フラグＦｃの値を０セットして初期化し（ステップｃ５７）、役物入賞口７の開口迄の待機時間としてパラメータｔに所定値Ｋを設定し（ステップｃ５８）、タイマＴ２を作動して計時を開始し（ステップｃ５９）、図柄動作フラグＦａの値に５をセットして役物入賞口７の開閉動作処理の開始を記憶し（ステップｃ６０）、この周期のタスク２の処理を終了する。この場合には、図柄動作フラグＦａの値が５とされるため次周期以降でのタスク２の処理では、ＣＰＵ３０は、ステップｂ１８乃至ステップｂ２３の判別処理後ステップｃ６４に移行し、以下、図柄判定後の経過時間Ｔ２がパラメータｔの値に達するまでの間、ステップｂ１８，ステップｂ１９，ステップｂ２０，ステップｂ２１，ステップｂ２２，ステップｂ２３およびステップｃ６４の判別処理を所定の処理周期で繰り返し実行することとなる。
【０１２１】
そして、図柄判定後の経過時間Ｔ２がパラメータｔの値に達すると（ステップｃ６５）、ＣＰＵ３０は、役物開放ソレノイドＳＯＬ２の励磁指令を出力して球振分け片２１を遊技盤１より奥方に後退して役物入賞口７を開口し（ステップｃ６５）、役物入賞口７の開放時間としてパラメータｔに所定値Ｌを設定し（ステップｃ６６）、タイマＴ２を作動して経過時間の計時を開始し（ステップｃ６７）、図柄動作フラグＦａの値に６をセットして役物入賞口７の開放開始を記憶し（ステップｃ６８）、この周期のタスク２の処理を終了する。
【０１２２】
次周期以降でのタスク２の処理では、図柄動作フラグＦａの値が６となっているため、ＣＰＵ３０は、ステップｂ１８乃至ステップｂ２３の判別後、ステップｃ６９に移行し、以下、図柄動作フラグＦａの値６に応じて、役物入賞口７の開口後の経過時間Ｔ２がパラメータｔの値に達するまでの間、ステップｂ１８乃至ステップｂ２３およびステップｃ６９の判別処理を所定の処理周期で繰り返し実行することとなる。
【０１２３】
実施形態では、役物入賞口７の開口時間Ｌは、５．９００秒としている。役物入賞口７の開口中に、役物入賞口７に遊技球が入賞すると、入賞した遊技球は、遊技盤１裏面に設けられた球誘導路に沿って移動し、遊技球の自重によって特定入賞口１５を開放する。
【０１２４】
役物入賞口７の開口後の経過時間Ｔ２がパラメータｔの値に達すると（ステップｃ６９）、ＣＰＵ３０は、役物開放ソレノイドＳＯＬ２の励磁解除指令を出力して球振分け片２１を復帰させて役物入賞口７を閉鎖し（ステップｃ７０）、図柄動作フラグＦａの値を０をセットして初期化し（ステップｃ７１）、タスク２の処理を終了する。
【０１２５】
次に、大入賞口８の開放動作処理及び第３種始動口１４の検出動作処理に関するタスク３の処理について説明する。
【０１２６】
遊技盤１面において、図柄表示部３の全図柄一致による大当たりとなって開口された役物入賞口７に遊技球が入賞すると、遊技盤１の左方中程の特定入賞口１５が開放される。開放された特定入賞口１５に遊技球が入賞すると、入賞した遊技球は遊技盤１裏面に設けられた球誘導路を通って遊技盤１下方の振分け装置１０内に誘導され、左回転する振分け回転体２６により振り分けられて通過口１２もしくは特別通過口１３のいずれか一方に落入する。振分け装置１０内に誘導された遊技球が特別通過口１３に落入した場合には、特定領域入賞検出スイッチＳＷ４によって検出され、右回転体１７の球受部６５が第３種始動口１４としての機能を有する特別状態となる。なお、以下の説明では、右回転体１７の球受部６５が第３種始動口１４としての機能を有する状態を特別状態ということとする。
【０１２７】
タスク３の処理を開始したＣＰＵ３０は、まず、右回転体１７の球受部６５が第３種始動口１４としての機能を有する特別状態となっているか否かを、特別状態フラグｆ１の現在値が１であるか否かによって判別する（ステップｄ１）。ここで、特別状態フラグｆ１の値は、１で右回転体１７の球受部６５が第３種始動口１４としての機能を有する特別状態であることを規定する。
【０１２８】
遊技開始後、大当たりが発生した場合であっても、大当たりが発生した直後は、特定領域通過検出スイッチＳＷ４の検出の有無を判定していないので、特別状態フラグｆ１の値は初期化されたままの値０であって、ＣＰＵ３０は、ステップｄ１の判別処理において偽と判定してステップｄ２に移行し、特定領域通過検出スイッチＳＷ４よりの信号入力があるか否かを判別する（ステップｄ２）。遊技球が特別通過口１３に落入していない場合には、特定領域通過検出スイッチＳＷ４の入力はないので、この場合には、ＣＰＵ３０は、ステップｄ２７に移行して、大入賞口８の開放中であるか否かを判別するため、大入賞口開放フラグｆ２の現在値が開放中であることを規定する値１であるか否かを判別する（ステップｄ２７）。ステップｄ２７の判別処理は、右回転体１７の球受部６５が第３種始動口１４としての機能を終了した時点で大入賞口８が開放中である場合には、大入賞口８は残りの時間開放するための処理である。ＣＰＵ３０は、ステップｄ２７の判定結果が偽である場合には、タスク３の処理を終了する。
【０１２９】
特別状態となっていない場合に、遊技球が特別通過口１３に落入すると、ステップｄ２の判別処理において特定領域通過検出スイッチＳＷ４の入力が検出され、ＣＰＵ３０は、真と判定してステップｄ３に移行し、第３種始動口１４への入賞数を計数する第３種始動口入賞数カウンタＣ２の値を０セットして初期化し（ステップｄ３）、特別状態フラグｆ１に１をセットして特別状態となったことを記憶する（ステップｄ４）。
【０１３０】
ステップｄ４の処理後、ＣＰＵ３０は、第３種始動口入賞検出スイッチＳＷ２よりの信号入力があるか否か、即ち、右回転体１７下方の球落入口２２への遊技球の落入があるか否かを判別し（ステップｄ５）、球落入口２２への遊技球の落入が検出された場合には、第３種始動口入賞数カウンタＣ２の値を１つインクリメントし（ステップｄ６）、第３種始動口入賞数カウンタＣ２の値が規定入賞個数１６に達したか否かを判別する（ステップｄ７）。
【０１３１】
ステップｄ５の判別処理において、球落入口２２への遊技球の落入が検出されなかった場合には、ＣＰＵ３０は、ステップｄ１０に移行する。また、特別状態となった直後は、球落入口２２への遊技球の落入総数が１６個に達していないので、ステップｄ７の判別処理において、第３種始動口入賞数カウンタＣ２の値が規定入賞個数１６に達していないと判定され、この場合にもＣＰＵ３０はステップｄ１０に移行する。
【０１３２】
ステップｄ１０に移行したＣＰＵ３０は、大入賞口開放フラグｆ２の現在値が開放中であることを規定する値１であるか否かを判別するが（ステップｄ１０）特別状態となった直後は、大入賞口８の開放動作を開始されていないので大入賞口開放フラグｆ２の現在値が開放中であることを規定する値１にはなっていないおらずステップｄ１１に移行する。
【０１３３】
ＣＰＵ３０は、大入賞口８への遊技球の入賞個数を計数する大入賞口入賞数カウンタＣ３の値を０セットして初期化し（ステップｄ１１）、第３種始動口入賞検出スイッチＳＷ２よりの信号入力があるか否かを判別し（ステップｄ１２）、判定結果が真ならば、大入賞口８の開放時間Ｍをパラメータｔ５に設定し（ステップｄ１３）、タイマＴ１を作動して計時を開始し（ステップｄ１４）、大入賞口開放フラグｆ２に１をセットして大入賞口８の開放中であることを記憶し（ステップｄ１５）、図４３に示すタイミングチャートに従って、大入賞口開放ソレノイドＳＯＬ１の励磁指令を出力して大入賞口８を開放し（ステップｄ１６）、この周期のタスク３の処理を終了する。
【０１３４】
また、ステップｄ１２の判別処理において、第３種始動口入賞検出スイッチＳＷ２よりの信号入力が検出されなった場合には、ＣＰＵ３０は、この周期のタスク３の処理を終了する。
【０１３５】
次周期以降のタスク３の処理では、特別状態フラグｆ１の値が１となっているため、ＣＰＵ３０は、ステップｄ１の判別処理後、ステップｄ２３に移行し、第３種始動口入賞数カウンタＣ２の値が規定入賞個数１６に達しているか否かを判別する（ステップｄ２３）。ステップｄ２３の判別結果が偽である場合には、ＣＰＵ３０は、特定領域通過検出スイッチＳＷ４よりの入力が検出されるか否かを判別する（ステップｄ２４）。ステップｄ２４の判別結果が偽である場合には、ＣＰＵ３０は、ステップｄ４以降の処理に移行し、ステップｄ７の判別処理において偽と判定された場合には、ステップｄ１０に移行する。
【０１３６】
ステップｄ１０の判別処理において、大入賞口開放フラグｆ２は開放中を規定する値１となっているので、ＣＰＵ３０は真と判定してステップｄ１７に移行することとなる。
【０１３７】
ステップｄ１７に移行したＣＰＵ３０は、大入賞口８の開放時よりの経過時間Ｔ１がパラメータｔ５の値に達するまでの間、大入賞口入賞検出スイッチＳＷ３の信号入力の有無を判定し（ステップｄ１８）、大入賞口入賞検出スイッチＳＷ３よりの信号入力が検出された場合には、大入賞口入賞数カウンタＣ３の値を１つインクリメントし（ステップｄ１９）、ステップｄ１９の処理実行した場合には、大入賞口入賞数カウンタＣ３の値が規定入賞数１０個に達しているか否かを判別する（ステップｄ２０）。
【０１３８】
そして、ステップｄ１８の判別処理において大入賞口入賞検出スイッチＳＷ３よりの信号入力が検出されなかった場合と、ステップｄ２０の判別処理において大入賞口入賞数カウンタＣ３の値が規定入賞数１０個に達していないと判定された場合には、ステップｄ２８に移行し、大入賞口開放フラグｆ２に開放中を規定する値１をセットし（ステップｄ２８）、この周期のタスク３の処理を終了する。
【０１３９】
次周期以降のタスク３の処理において、ＣＰＵ３０は、ステップｄ５の判別処理で、第３種始動口入賞検出スイッチＳＷ２よりの信号入力を検出する毎に第３種始動口入賞数カウンタＣ２の値を１つインクリメントし（ステップｄ６）、ステップｄ７の処理で、第３種始動口入賞数カウンタＣ２の値が規定入賞個数１６に達したか否かを判別し、第３種始動口入賞数カウンタＣ２の値が規定入賞個数１６に達すると、ＣＰＵ３０は、ステップｄ８に移行して、特別状態フラグｆ１を０クリアし（ステップｄ８）、ステップｄ９に移行して確率フラグＦｐの値に１をセットして図柄判定に関する大当たりの発生確率を高確率状態に設定する（ステップｄ９）。
【０１４０】
また、ステップｄ２４の判別処理において、特定領域通過検出スイッチＳＷ４よりの入力が検出された場合にも、即ち、特別状態中である時に遊技球が特別通過口１３に落入した場合にも、ＣＰＵ３０は、ステップｄ２５に移行して、特別状態フラグｆ１を０クリアし（ステップｄ２５）、ステップｄ２６に移行して確率フラグＦｐの値に１をセットして図柄判定に関する大当たりの発生確率を高確率状態に設定する（ステップｄ２６）。
【０１４１】
そして、特別状態フラグｆ１が０となっても、大入賞口開放フラグｆ２の現在値が開放中を規定する値１であれば、ＣＰＵ３０は、ステップｄ１，ステップｄ２の判別処理後、ステップｄ３の判別処理において真と判定し、ステップｄ１７に移行するので、大入賞口８は残りの時間開放される。
【０１４２】
ステップｄ１７の判別処理において、大入賞口８の開放時よりの経過時間Ｔ１がパラメータｔ５の値に達したことが検出されると、ＣＰＵ３０は、ステップｄ２１に移行し、大入賞口開放フラグｆ２を０セットして初期化し（ステップｄ２１）、大入賞口開放ソレノイドＳＯＬ１の励磁解除指令を出力して大入賞口８を閉鎖し（ステップｄ２２）、この周期のタスク３の処理を終了する。
【０１４３】
大入賞口８の開放動作は、特別状態となってから、特別状態フラグｆ１の値が１となって以降、特定領域通過検出スイッチＳＷ４よりの信号入力が検出されない場合には、最高１６回の大入賞口８の開放が行われる。即ち、ＣＰＵ３０の処理においては、ステップｄ１，ステップｄ２３，ステップｄ２４，ステップｄ４の処理後、ステップｄ５の判別処理で第３種始動口入賞検出スイッチＳＷ２よりの信号入力が検出されずに、ステップｄ１０，ステップｄ１７と移行して、大入賞口８の開放動作が終了し、この後のタスク３の処理のステップｄ５の判別処理において、第３種始動口入賞検出スイッチＳＷ２よりの信号入力が検出されるならば、第３種始動口入賞検出スイッチＳＷ２よりの信号入力の１回検出される毎に大入賞口８の開放動作が１回行われることとなる。
【０１４４】
本実施形態における遊技盤１面においては、第３種始動口１４が右回転体１７により入賞可能のタイミングが周期的となっているので、大入賞口８が開放中である場合には、遊技球を第３種始動口１４の入賞可能タイミングとズラして弾発するようにすればよい。
【０１４５】
第３種始動口１４に入賞する遊技球により大入賞口８の開放動作を行う特別状態の終了条件は、特別状態となってからの第３種始動口１４への入賞総数が１６に達した場合に、１６個目の入賞検出を以て特別状態の終了とするか、または、特別状態中に新たに特別通過口１３に遊技球が通過した場合である。
【０１４６】
また、図柄の判定に関する大当たりの発生確率を高確率状態と通常状態とで変化させる確率フラグＦｐは、特別状態の終了後に高確率状態を規定する値１がセットされ、その後の１回目の図柄変動の図柄判定時に通常状態を規定する値０がセットされて初期化される。
【０１４７】
次に、左回転体１６の動作制御処理及び振分け装置１０の動作制御処理に関するタスク４の処理について説明する。ＣＰＵ３０は、図４４に示されるタイミングチャートに従って、左回転体１６を間歇的に左回転動作させ、また、振分け装置１０の振分け回転体２６を間歇的に右回転動作させる。
【０１４８】
タスク４の処理を開始したＣＰＵ３０は、まず、右回転体１７を回転駆動する回転駆動モータＭ３の駆動指令を出力する（ステップｅ１）。右回転体１７は電源投入後、常時左回転する。次いで、ＣＰＵ３０は、左回転体制御フラグｍ１に１をセットし（ステップｅ２）、振分け装置制御フラグｍ２に１をセットする（ステップｅ３）。ここで、左回転体制御フラグｍ１と振分け装置制御フラグｍ２の各々は、１で駆動指令の出力を規定し、０で駆動停止指令の出力を規定するものである。
【０１４９】
ステップｅ３の処理後、ＣＰＵ３０は、処理フラグｆｂの値が処理待機中を規定する値１であるか否かを判別する。処理フラグｆｂの値が処理待機中を規定する値１である場合には、ＣＰＵ３０はステップｅ２３に移行するが、電源投入直後は処理待機中を規定する値１となっておらず、図示されていない電源投入直後の初期化処理によって初期状態の値０とされている。ＣＰＵ３０は、ステップｅ４の判別処理を偽と判定してステップｅ５に移行する。
【０１５０】
ステップｅ５に移行したＣＰＵ３０は、処理フラグｆｂの値が回転駆動処理中を規定する値２となっているか否かを判別する（ステップｅ５）。処理フラグｆｂの値が回転駆動処理中を規定する値２となっている場合には、ＣＰＵ３０は、ステップｅ３１に移行するが、電源投入直後は処理フラグｆｂの値が初期状態の値０であり、ＣＰＵ３０は、ステップｅ５の判別処理を偽と判定してステップｅ６に移行する。
【０１５１】
ステップｅ６に移行したＣＰＵ３０は、左回転体１６の定位置検出処理及び振分け装置１０の定位置検出処理を開始することとなる。ＣＰＵ３０は、左回転体定位置検出スイッチＳＷ５よりの入力があるか否かを判別し（ステップｅ６）、即ち、左回転体１６が定位置にあるか否かを判別し、左回転体定位置検出スイッチＳＷ５よりの入力が検出されなかった場合には、ステップｅ８に移行する一方、左回転体定位置検出スイッチＳＷ５よりの入力が検出された場合には左回転体定位置検出フラグｆ３に１をセットし（ステップｅ７）、ステップｅ８に移行する。
【０１５２】
ステップｅ８に移行したＣＰＵ３０は、振分け装置定位置検出スイッチＳＷ６よりの入力があるか否かを判別し（ステップｅ８）、即ち、振分け装置１０が定位置にあるか否かを判別し、振分け装置定位置検出スイッチＳＷ６よりの入力が検出されなかった場合には、ステップｅ１０に移行する一方、振分け装置定位置検出スイッチＳＷ６よりの入力が検出された場合には、振分け装置定位置検出フラグｆ４に１をセットし（ステップｅ９）、ステップｅ１０に移行する。
【０１５３】
ステップｅ１０に移行したＣＰＵ３０は、左回転体定位置検出フラグｆ３の値が１であるか否か、即ち、左回転体１６が定位置であるか否かを判別し（ステップｅ１０）、左回転体定位置検出フラグｆ３の値が１でない場合にはステップｅ１７に移行し、左回転体定位置検出フラグｆ３の値が１である場合には、即ち、左回転体１６が定位置である場合には、左回転体制御フラグｍ１に０をセットし（ステップｅ１１）、ステップｅ１２に移行する。
【０１５４】
ＣＰＵ３０は、ステップｅ１２に移行する場合には、振分け装置定位置検出フラグｆ４が１であるか否か、即ち、振分け装置１０が定位置となっているか否かを判別し（ステップｅ１２）、振分け装置定位置検出フラグｆ４が１でない場合にはステップｅ１７に移行し、振分け装置定位置検出フラグｆ４が１である場合には、即ち、振分け装置１０が定位置である場合には、振分け装置制御フラグｍ２に０をセットし（ステップｅ１３）、処理フラグｆｂに１をセットし（ステップｅ１４）、処理の待機中に移行することとなる。
【０１５５】
ＣＰＵ３０は、ステップｅ１７に移行する場合には、左回転体制御フラグｍ１の値が１であるか否か、即ち、駆動指令出力となっているか否かを判別し（ステップｅ１７）、左回転体制御フラグｍ１の値が１である場合には、左回転体１７を回転駆動する回転駆動モータＭ１の駆動指令を出力し（ステップｅ１８）、ステップｅ２０に移行する一方、左回転体制御フラグｍ１の値が１でない場合には、左回転体１７を回転駆動する回転駆動モータＭ１の駆動停止指令を出力し（ステップｅ１９）、ステップｅ２０に移行する。
【０１５６】
次いで、ＣＰＵ３０は、振分け装置制御フラグｍ２が１であるか否か、即ち、駆動指令出力となっているか否かを判別し（ステップｅ２０）、振分け装置制御フラグｍ２が１である場合には、振分け回転体２６を回転駆動する振分け装置駆動モータＭ２の駆動指令を出力し（ステップｅ２１）、この周期の処理を終了する一方、振分け装置制御フラグｍ２が１でない場合には、振分け回転体２６を回転駆動する振分け装置駆動モータＭ２の駆動停止指令を出力し（ステップｅ２２）、この周期の処理を終了する。
【０１５７】
本実施形態では、左回転体１６の定位置検出終了後、振分け装置１０の定位置検出を判定している。即ち、ＣＰＵ３０の処理においては、ステップｅ１０の判定結果が真となって後に、ステップｅ１２の判別処理の真偽を判定する。また、左回転体１６の定位置が検出されない限り左回転体制御フラグｍ１の値が１となっているので左回転体１６が左回転を継続することとなり、振分け装置１０の定位置が検出されない限り振分け装置制御フラグｍ２の値が１となっているので、振分け回転体２６が右回転を継続することとなる。
【０１５８】
このため、次周期以降の処理では、ＣＰＵ３０は、左回転体１６の定位置が検出されるまでの間、ステップｅ１乃至ステップｅ１０に至る各処理と、ステップｅ１７，ステップｅ１８，ステップｅ２０及びステップｅ２１の処理を実行する。そして、ステップｅ６の判別処理において、左回転体定位置検出スイッチＳＷ５よりの入力が検出されると、左回転体定位置検出フラグｆ３の値に１がセットされ、ステップｅ１０の判別結果が真となって左回転体制御フラグｍ１の値が０クリアされ、ステップｅ１２の判別処理が実行され、更に、後続のステップｅ１７の判別処理の判定結果が偽となって、ステップｅ１９の処理を実行して、左回転体駆動モータＭ１を停止する。
【０１５９】
この後のタスク４の処理において、ステップｅ８の判別処理で、振分け装置定位置検出スイッチＳＷ６よりの入力が検出されると、振分け装置定位置検出フラグｆ４に１がセットされ、ステップｅ１２の判定結果が真となって、処理フラグｆｂに１がセットされ、ステップｅ１５に移行して、パラメータｔ６に所定値Ｓを設定し（ステップｅ１５）、タイマＴ３を作動して回転駆動処理開始までの経過時間を計時し（ステップｅ１６）、後続のステップｅ２０の判別後にステップｅ２２の処理を実行して振分け装置駆動モータＭ２を停止する。
【０１６０】
次周期以降の処理では、ＣＰＵ３０は、処理フラグｆｂの値が１となっているため、ステップｅ１，ステップｅ２，ステップｅ３の処理後、ステップｅ４の判別処理を実行してステップ２３に移行し、以下、定位置検出後の経過時間Ｔがパラメータｔの値に達するまでの間、ステップｅ１，ステップｅ２，ステップｅ３，ステップｅ４及びステップｅ２３の判別処理を所定周期で繰り返し実行する。
【０１６１】
そして、定位置検出後の経過時間Ｔがパラメータｔの値に達すると（ステップｅ２３）、ＣＰＵ３０は、左回転体１６の定位置検出禁止時間を規定する所定値Ｐをパラメータｔ７に設定し（ステップｅ２４）、振分け装置１０の定位置検出禁止時間を規定する所定値Ｑをパラメータｔ８に設定し（ステップｅ２５）、タイマＴ４を作動して左回転体１６の処理に関する経過時間の測定を開始し（ステップｅ２６）、タイマＴ５を作動して振分け装置１０の処理に関する経過時間の測定を開始し（ステップｅ２７）、左回転体定位置検出フラグｆ３の値を０クリアし（ステップｅ２８）、振分け装置定位置検出フラグｆ４の値を０クリアし（ステップｅ２９）、処理フラグｆｂに２をセットして回転駆動処理の開始を記憶し（ステップｅ３０）、ステップｅ１７に移行して、ステップｅ２において、左回転体制御フラグｍ１の値に１がセットされ、ステップｅ３において振分け装置制御フラグｍ２に１がセットされているので、ステップｅ１８を実行して左回転体駆動モータＭ１の駆動指令を出力し、ステップｅ２２を実行して振分け装置駆動モータＭ２の駆動指令を出力し、この周期のタスク４の処理を終了する。
【０１６２】
次周期以降のタスク４の処理においては、ステップｅ１の処理後、ステップｅ２において、左回転体制御フラグｍ１の値に１がセットされ、ステップｅ３において振分け装置制御フラグｍ２に１がセットされて、以下、処理フラグｆｂの値２に基づいて、ステップｅ４の判別後、ステップｅ５の判別処理を実行して、ステップｅ３１に移行し、左回転体１６の処理に関する経過時間Ｔ４がパラメータｔ７に達したか否かの判別処理（ステップｅ３１）と、振分け装置１０の処理に関する経過時間Ｔ５がパラメータｔ８に達したか否かの判別処理（ステップｅ３５）を実行した後、ステップｅ３８の左回転体定位置検出フラグｆ３の判別処理と、ステップｅ４０の振分け装置定位置検出フラグｆ４の判別処理を実行し、ステップｅ１７に移行した後、タスク４の処理を終了する。
【０１６３】
ステップｅ３１の判別処理において、左回転体１６の処理に関する経過時間Ｔ４がパラメータｔ７に達しない場合には、左回転体定位置検出フラグｆ３に０をセットしてステップｅ３５に移行する一方（ステップｅ３２）、左回転体１６の処理に関する経過時間Ｔ４がパラメータｔ７に達した場合には、左回転体定位置検出スイッチＳＷ５の入力があるか否かを判別し（ステップｅ３３）、左回転体定位置検出スイッチＳＷ５の入力が検出されると左回転体定位置検出フラグｆ３に１をセットしてステップｅ３５に移行する。
【０１６４】
ステップｅ３５の判別処理において、振分け装置１０の処理に関する経過時間Ｔ５がパラメータｔ８に達しない場合には、振分け装置定位置検出フラグｆ４に０をセットしてステップｅ３８に移行する一方（ステップｅ３６）、振分け装置１０の処理に関する経過時間Ｔ５がパラメータｔ８に達した場合には、振分け装置定位置検出スイッチＳＷ６の入力があるか否かを判別し（ステップｅ３７）、振分け装置定位置検出スイッチＳＷ６の入力が検出されると振分け装置定位置検出フラグｆ４に１をセットしてステップｅ３８に移行する。
【０１６５】
ＣＰＵ３０は、左回転体定位置検出フラグｆ３が１であるか否かを判別し（ステップｅ３８）、左回転体定位置検出フラグｆ３が１でない場合には、ステップｅ４０に移行する一方、左回転体定位置検出フラグｆ３が１である場合には、左回転体制御フラグｍ１を０クリアし（ステップｅ３９）、ステップｅ４０に移行する。ステップｅ４０に移行したＣＰＵは、振分け装置定位置検出フラグｆ４が１であるか否かを判別し（ステップｅ４０）、振分け装置定位置検出フラグｆ４が１でない場合には、ステップｅ４２に移行する一方、振分け装置定位置検出フラグｆ４が１である場合には、振分け装置定位置検出フラグｆ４を０クリアし（ステップｅ４１）、ステップｅ４２に移行する。
【０１６６】
ステップｅ４２に移行したＣＰＵ３０は、左回転体定位置検出フラグｆ３が１であるか否かを判別し（ステップｅ４２）、左回転体定位置検出フラグｆ３が１でない場合には、ステップｅ１７に移行する一方、左回転体定位置検出フラグｆ３が１である場合には、ステップｅ４３に移行する。ステップｅ４３に移行したＣＰＵ３０は、振分け装置定位置検出フラグｆ４が１であるか否かを判別し（ステップｅ４３）、振分け装置定位置検出フラグｆ４が１でない場合には、ステップｅ１７に移行する一方、振分け装置定位置検出フラグｆ４が１である場合には、処理フラグｆｂを０クリアし（ステップｅ４４）、ステップｅ１５に移行する。
【０１６７】
図４４に示されるように、本実施形態では、左回転体１６の定位置検出禁止時間Ｐは振分け装置１０の定位置検出禁止時間より短い。従って、回転駆動処理開始からの経過時間が所定値Ｐに達するまでの間、ＣＰＵ３０は、ステップｅ３１の判別処理において偽と判定して、ステップｅ３２に移行し、左回転体定位置検出フラグｆ３を０セットし、ステップｅ３５に移行してステップｅ３５の判別処理において偽と判定して、振分け装置定位置検出フラグｆ４を０セットし、ステップｅ３８の判別処理において、左回転体定位置検出フラグｆ３が０であるため偽と判定され、ステップｅ４０に移行して振分け装置定位置検出フラグｆ４が０であるため偽と判定し、ステップｅ４２の左回転体定位置検出フラグｆ３が１か否かの判別処理において、偽と判定してステップｅ１７に移行する。
【０１６８】
また、毎回のタスク４の処理において、左回転体制御フラグｍ１と振分け装置制御フラグｍ２の各々に１がセットされ、左回転体定位置検出フラグｆ３及び振分け装置定位置検出フラグｆ４の各値が０であるために、左回転体制御フラグｍ１と振分け装置制御フラグｍ２が０クリアされないので、ＣＰＵ３０は、ステップｅ１８及びステップｅ２１の処理を実行し、左回転体駆動モータＭ１と振分け装置駆動モータＭ２とを駆動して左回転体１６を左回転し、振分け装置１０の振分け回転体２６を右回転する。
【０１６９】
そして、回転駆動処理開始からの経過時間が所定値Ｐに達すると（ステップｅ３１）、ＣＰＵ３０は、左回転体定位置検出スイッチＳＷ５の入力があるか否かを判別し（ステップｅ３３）、左回転体定位置検出スイッチＳＷ５の入力が検出されれば左回転体定位置検出フラグｆ３に１をセットしてステップｅ３５に移行する。左回転体定位置検出フラグｆ３に１がセットされた結果、ＣＰＵ３０による後続のステップｅ３８の処理では真と判定されるので、左回転体制御フラグｍ１が０クリアされ（ステップｅ３９）、また、ステップｅ４２の判別処理で真と判定された後、ステップｅ４３の判別処理で偽と判定されてステップｅ１７に移行し、左回転体制御フラグｍ１が０クリアされているので、ＣＰＵ３０は、ステップｅ１９の処理を実行して、左回転体駆動モータＭ１の駆動を停止する。この結果、左回転体１６は定位置で停止され、また、左回転体定位置検出スイッチＳＷ５の入力がオンとなる。
【０１７０】
次周期以降の処理では、回転駆動処理開始からの経過時間が所定値Ｑに達するまでの間、ＣＰＵ３０は、ステップｅ１乃至ステップｅ４の処理と、ステップｅ３１，ステップｅ３３，ステップｅ３４の処理を実行して、ステップｅ３５に移行し、ステップｅ３６の処理後、ステップｅ３８，ステップｅ３９の処理を行い、ステップｅ４０，ステップｅ４２及びステップｅ４３の判別処理の実行後、ステップｅ１７以下の処理を行う。次周期以降の処理では、左回転体制御フラグｍ１が０クリアされるので、左回転体１６は定位置で停止されたままである。
【０１７１】
そして、回転駆動処理開始からの経過時間が所定値Ｑに達すると（ステップｅ３５）、ＣＰＵ３０は、振分け装置定位置検出スイッチＳＷ６の入力があるか否かを判別し（ステップｅ３７）、振分け装置定位置検出スイッチＳＷ６の入力が検出されれば振分け装置定位置検出フラグｆ４に１をセットしてステップｅ３８に移行する。振分け装置定位置検出フラグｆ４に１がセットされた結果、ＣＰＵ３０による後続のステップｅ４０の処理では真と判定されるので、振分け装置制御フラグｍ２が０クリアされ（ステップｅ４１）、また、ステップｅ４３の判別処理で真と判定されるので、ＣＰＵ３０は、処理フラグｆｂに１をセットし（ステップｅ４４）、ステップｅ１５に移行して、再び、回転動作処理開始迄の待機時間Ｓをパラメータｔ６に設定し、ステップｅ１６に移行し、タイマＴ３を作動して経過時間の測定を開始し、ステップｅ１７，ステップｅ１９の処理後、ステップｅ２０判別処理では、振分け装置制御フラグｍ２が０クリアされているので、ＣＰＵ３０は、ステップｅ２２の処理を実行して、振分け装置駆動モータＭ２の駆動を停止する。この結果、振分け装置１０の振分け回転体２６は定位置で停止され、また、振分け装置定位置検出スイッチＳＷ６の入力はオンとなる。
【０１７２】
次周期以降の処理では、処理フラグｆｂの値が１となるため、ＣＰＵ３０はステップｅ１乃至ステップｅ３の処理後、ステップｅ４の判別処理で真と判定してステップｅ２３以下の処理を実行する。ＣＰＵ３０は、タスク４の処理を実行して、左回転体１６の左回転動作と振分け装置１０の右回転動作を間歇的に繰り返す。
【０１７３】
以上、本発明のパチンコ機の図柄表示装置を備えたパチンコ機の実施形態におけるタスク１乃至タスク４に関するＣＰＵ３０の処理について説明したが、本実施形態においては、図柄変動の開始刺激となる図柄始動口９への遊技球入賞時に大当たり判定用乱数の値を記憶し、この時の大当たり判定用乱数の値に基づいて、大当たりか外れかを決定する一方、大当たり用の図柄データと外れ用の図柄データを作成しておき、左，右，中の順で図柄を停止していく時に、大当たりとなる場合には大当たり用の図柄を表示し、外れとなった場合には外れ用の図柄を表示する。また、大当たりの時に表示する図柄を左，中，右全て同一の図柄としている。
【０１７４】
左，中，右図柄表示部４，５，６に停止表示される図柄は、大当たりである場合には、左図柄と右図柄は必ず同一の図柄となるが、外れである場合、外れ図柄には、例えば、左，中，右の図柄の組合わせが１４１のように左右の図柄が同一で中図柄だけが異なる図柄がある。本発明のパチンコ機の図柄表示装置は、左図柄と右図柄が停止された時点で、左図柄と右図柄が同一であった場合には、即ち、リーチの場合には、大当たりの場合及び外れの場合に関係なく、停止されていない中図柄表示部５において、低速と高速とで周期的に繰り返して変動表示を行うと共に、低速と高速とで周期的に繰り返して変動表示する低速時において、左図柄表示部４及び右図柄表示部６に停止された図柄を低速表示する。
【０１７５】
従って、遊技者は、リーチとなった場合には、少なくとも１回は大当たりの図柄一致で停止されるか否かを視認できるわけであり、リーチ時には必ず期待感を遊技者に与えることとなる。そして、繰り返し時間の間には中図柄は停止されないで、この後、低速した後に停止されるものであるから、遊技者は再び大当たりの発生となるかを期待することができる。
【０１７６】
また、本実施形態では、低速と高速とで周期的に繰り返して変動表示する時の繰り返し回数を中図柄変動用乱数の値によって任意に変更するようにし、さらに、繰り返し回数の終了時点の図柄より確定停止する図柄までの変動図柄数によって、変動速度を低速、高速、中速、低速と段階的に切り替えるようにしているので、遊技者は中図柄の停止タイミングによって大当たりか外れかを推察することは不可能に等しく、大当たりかどうかは中図柄が停止されてみなければ分からなく、中図柄停止時までの間、遊技者に対し期待感を抱かせるのには十分なものである。
【０１７７】
【発明の効果】
請求項１に記載の構成によれば、図柄表示部においてリーチが成立した場合に、変動表示を継続する残る１つの図柄表示部の変動速度が、低速と高速との順で繰り返し変動を行うので、遊技者に対して、図柄が停止するのか或いはまだ変動するのかのドキドキ−イライラとした期待感を継続させ、低速と高速との繰り返し変動の高速変動終了後に低速変動を行うことにより、遊技者に対して図柄が視認できる速度で変動させることにより、改めて当るか否かの期待感を与えるようにすることができ、該低速変動の変動時間が、当該残る１つの図柄表示部の停止図柄によって変わるので、停止表示される図柄が何であるかを予想しずらくすることができる。
【図面の簡単な説明】
【図１】本発明のパチンコ機の図柄表示装置の制御部を示した要部ブロック図
【図２】本発明の実施形態に係るパチンコ機の遊技盤を示す正面図
【図３】定位置における左回転体の正面図
【図４】右回転体及び球落入口の正面図
【図５】定位置における振分け装置の正面図
【図６】振分け装置のカムと振分け装置定位置検出スイッチとの係合関係を示す裏面図
【図７】はずれ入賞位置における振分け装置の正面図
【図８】当たり入賞位置における振分け装置の正面図
【図９】実施形態の図柄表示手段の図柄表示部における図柄変動処理を示すタイミングチャート
【図１０】本発明の実施形態に係るパチンコ機に配備したＣＰＵによる処理の一部を示すフロー図
【図１１】本発明の実施形態に係るパチンコ機に配備したＣＰＵによる処理の一部を示すフロー図
【図１２】図１１のフロー図のつづき
【図１３】図１２のフロー図のつづき
【図１４】図１３のフロー図のつづき
【図１５】図１３のフロー図のつづき
【図１６】図１５のフロー図のつづき
【図１７】図１５のフロー図のつづき
【図１８】図１５のフロー図のつづき
【図１９】図１３のフロー図のつづき
【図２０】図１９のフロー図のつづき
【図２１】図２０のフロー図のつづき
【図２２】図１３のフロー図のつづき
【図２３】図２２のフロー図のつづき
【図２４】図１３のフロー図のつづき
【図２５】図２４のフロー図のつづき
【図２６】図２５のフロー図のつづき
【図２７】図２６のフロー図のつづき
【図２８】図２７のフロー図のつづき
【図２９】図２８のフロー図のつづき
【図３０】図２９のフロー図のつづき
【図３１】図１３のフロー図のつづき
【図３２】図１３のフロー図のつづき
【図３３】本発明の実施形態に係るパチンコ機に配備したＣＰＵによる処理の一部を示すフロー図
【図３４】図３３のフロー図のつづき
【図３５】図３３のフロー図のつづき
【図３６】本発明の実施形態に係るパチンコ機に配備したＣＰＵによる処理の一部を示すフロー図
【図３７】図３６のフロー図のつづき
【図３８】図３６のフロー図のつづき
【図３９】図３９のフロー図のつづき
【図４０】図３９のフロー図のつづき
【図４１】左，中，右図柄の移行順序を示した図
【図４２】役物入賞口の開口動作処理を示すタイミングチャート
【図４３】大入賞口の開放動作処理を示すタイミングチャート
【図４４】振分け装置及び左回転体の回転動作処理を示すタイミングチャート
【符号の説明】
１  遊技盤
２  図柄表示装置
３  図柄表示部
４  左図柄表示部
５  右図柄表示部
６  中図柄表示部
７  役物入賞口
８  大入賞口
９  図柄始動口
１０  振分け装置
１１  通過口Ａ
１２  通過口Ｂ
１３  特定領域
１４  第３種始動口
１５  特定入賞口
１６  左回転体
１７  右回転体
１８  第３種始動口入賞数表示ＬＥＤ
１９  記憶数表示ＬＥＤ
２０  大入賞口入賞数表示ＬＥＤ
２１  球振分け片
２２  球落入口
２３  前面パネル
２４  フランジ部
２５  振分け装置本体
２６  振分け回転体
２７  球受部
２８  球受部
２９  球受部
３０  ＣＰＵ
３１  ＲＯＭ
３２  ＲＡＭ
３３  スイッチ検出部
３５  ソレノイド駆動部
３６  ソレノイド駆動部
３７  モータ駆動部
３８  モータ駆動部
３９  モータ駆動部
４０  クロック・リセット回路
４１  天入賞口
４２  左下入賞口
４３  右下入賞口
４４  ランプ付風車
４５  風車
４６  アウト球受口
４７  球誘導レール
４８  返しゴム
５０  表示灯Ａ
５１  表示灯Ｂ
５２  表示灯Ｃ
５３  表示灯Ｄ
５４  表示灯Ｅ
５５  左装飾ＬＥＤ
５６  右装飾ＬＥＤ
５７  中装飾ＬＥＤ
５８  側方壁
５９  側方壁
６０  球受部
６１  円弧壁
６２  円弧壁
６３  間隙
６４  釘
６５  球受部
６６  円弧壁
６７  円弧壁
６８  間隙
６９  間隙
７０  振分け片
７１  内壁
７２  カム
７３  回転軸
７４  棒状切欠
ＳＷ１  図柄始動口入賞検出スイッチ
ＳＷ２  第３種始動口入賞検出スイッチ
ＳＷ３  大入賞口入賞検出スイッチ
ＳＷ４  特定領域通過検出スイッチ
ＳＷ５  左回転体定位置検出スイッチ
ＳＷ６  振分け装置定位置検出スイッチ
ＳＯＬ１  大入賞口開放ソレノイド
ＳＯＬ２  役物開放ソレノイド
Ｍ１  左回転体駆動モータ
Ｍ２  振分け装置駆動モータ
Ｍ３  回転体駆動モータ
【図１】
0003704066.tif 000009
【図２】
0003704066.tif 000010
【図３】
0003704066.tif 000011
【図４】
0003704066.tif 000012
【図５】
0003704066.tif 000013
【図６】
0003704066.tif 000014
【図７】
0003704066.tif 000015
【図８】
0003704066.tif 000016
【図９】
0003704066.tif 000017
【図１０】
0003704066.tif 000018
【図１１】
0003704066.tif 000019
【図１２】
0003704066.tif 000020
【図１３】
0003704066.tif 000021
【図１４】
0003704066.tif 000022
【図１５】
0003704066.tif 000023
【図１６】
0003704066.tif 000024
【図１７】
0003704066.tif 000025
【図１８】
0003704066.tif 000026
【図１９】
0003704066.tif 000027
【図２０】
0003704066.tif 000028
【図２１】
0003704066.tif 000029
【図２２】
0003704066.tif 000030
【図２３】
0003704066.tif 000031
【図２４】
0003704066.tif 000032
【図２５】
0003704066.tif 000033
【図２６】
0003704066.tif 000034
【図２７】
0003704066.tif 000035
【図２８】
0003704066.tif 000036
【図２９】
0003704066.tif 000037
【図３０】
0003704066.tif 000038
【図３１】
0003704066.tif 000039
【図３２】
0003704066.tif 000040
【図３３】
0003704066.tif 000041
【図３４】
0003704066.tif 000042
【図３５】
0003704066.tif 000043
【図３６】
0003704066.tif 000044
【図３７】
0003704066.tif 000045
【図３８】
0003704066.tif 000046
【図３９】
0003704066.tif 000047
【図４０】
0003704066.tif 000048
【図４１】
0003704066.tif 000049
【図４２】
0003704066.tif 000050
【図４３】
0003704066.tif 000051
【図４４】
0003704066.tif 000052